(57)【要約】      （修正有）【課題】長期間の使用に適し且つ水、塵、埃、汚染物質及び／又は腐食物質が付着したとしても通信特性の劣化を抑制できる雄コネクタを提供する。【解決手段】雄コネクタ１００ａは、雄ボディ１１０ａと、雄通信アンテナ１２１ａ、１２２ａと、雄第１基板１７１ａとを備えている。雄通信アンテナ１２１ａ、１２２ａは雄ボディ１１０ａ内に設けられており且つ信号を無線通信可能な構成である。雄第１基板１７１ａは、雄通信アンテナ１２１ａ、１２２ａに接続されている。【選択図】図１Ｂ
2019068439.tif 000002
【特許請求の範囲】
【請求項１】
多面体である雄ボディであって、複数の外面を有し、前記外面が互いに重複しない外面エリアである前記雄ボディと、
信号を無線通信可能な雄通信アンテナと、
雄受電又は送電アンテナと、
雄第１基板と、
雄第２基板とを備えており、
前記雄通信アンテナ及び前記雄受電又は送電アンテナは、前記雄ボディ内に設けられており、且つ前記外面エリアのうちの異なる外面エリアの近傍に位置しており、
前記雄通信アンテナは前記雄第１基板上に設けられた端子又は形成された導体であり、
前記雄第１基板は、当該雄第１基板上の前記雄通信アンテナが近傍に位置する前記外面エリアに対して略平行となるように前記雄ボディ内に設けられており、
前記雄受電又は送電アンテナは前記雄第２基板上に設けられた端子又は形成された導体であり、
前記雄第２基板は、当該雄第２基板上の前記雄受電又は送電アンテナが近傍に位置する前記外面エリアに対して略平行となるように前記雄ボディ内に設けられている雄コネクタ。
【請求項２】
請求項１記載の雄コネクタにおいて、
前記雄通信アンテナは複数であり、
前記雄第１基板は複数であり、前記雄第１基板に少なくとも一つの前記雄通信アンテナが各々設けられており、
前記雄通信アンテナは、少なくとも一つの前記雄通信アンテナが前記外面エリアの近傍に各々位置するように、前記雄ボディ内に各々設けられている雄コネクタ。
【請求項３】
請求項１又は２記載の雄コネクタにおいて、
前記雄受電又は送電アンテナは複数であり、
前記雄第２基板は複数であり、前記雄第２基板に少なくとも一つの前記雄受電又は送電アンテナが各々設けられており、
前記雄受電又は送電アンテナは、少なくとも一つの前記雄受電又は送電アンテナが前記雄通信アンテナの近傍の前記外面エリアと異なる前記外面エリアの近傍に各々位置するように、前記雄ボディ内に各々設けられている雄コネクタ。
【請求項４】
請求項１〜３の何れかに記載の雄コネクタにおいて、
前記雄ボディは絶縁樹脂であり、
前記雄通信アンテナ、前記雄第１基板、前記雄受電又は送電アンテナ、及び前記雄第２基板がインサート成形によって前記雄ボディの内部に埋め込まれている雄コネクタ。
【請求項５】
請求項１〜４の何れかに記載の雄コネクタにおいて、
前記雄通信アンテナが近傍に位置する前記外面エリアと、当該雄通信アンテナとの間の距離が、当該雄通信アンテナ全体にわたって略同じ距離であり、
前記雄受電又は送電アンテナが近傍に位置する前記外面エリアと、当該雄受電又は送電アンテナとの間の距離が、当該雄受電又は送電アンテナ全体にわたって略同じ距離である雄コネクタ。
【請求項６】
多面体状の接続孔及び前記接続孔の複数の内面を有し、前記内面が互いに重複しない内面エリアである雌ボディと、
信号を無線通信可能な雌通信アンテナと、
雌送電又は受電アンテナと、
雌第１基板と、
雌第２基板とを備えており、
前記雌通信アンテナ及び前記雌送電又は受電アンテナは、前記雌ボディ内に設けられており、且つ前記内面エリアのうちの異なる内面エリアの近傍に位置しており、
前記雌通信アンテナが前記雌第１基板上に設けられた端子又は形成された導体であり、
前記雌第１基板は、当該雌第１基板上の前記雌通信アンテナが近傍に位置する前記内面エリアに対して略平行となるように前記雌ボディ内に設けられており、
前記雌送電又は受電アンテナは前記雌第２基板上に設けられた端子又は形成された導体であり、
前記雌第２基板は、当該雌第２基板上の前記雌送電又は受電アンテナが近傍に位置する前記内面エリアに対して略平行となるように前記雌ボディ内に設けられている雌コネクタ。
【請求項７】
請求項６記載の雌コネクタにおいて、
前記雌通信アンテナは複数であり、
前記雌第１基板は複数であり、前記雌第１基板に少なくとも一つの前記雌通信アンテナが各々設けられており、
前記雌通信アンテナは、少なくとも一つの前記雌通信アンテナが前記内面エリアの近傍に各々位置するように、前記雌ボディ内に各々設けられている雌コネクタ。
【請求項８】
請求項６又は７記載の雌コネクタにおいて、
前記雌送電又は受電アンテナは複数であり、
前記雌第２基板は複数であり、前記雌第２基板に少なくとも一つの前記雌送電又は受電アンテナが各々設けられており、
前記雌送電又は受電アンテナは、少なくとも一つの前記雌送電又は受電アンテナが前記雌通信アンテナの近傍の前記内面エリアと異なる前記内面エリアの近傍に各々位置するように、前記雌ボディ内に各々設けられている雌コネクタ。
【請求項９】
請求項６〜８の何れかに記載の雌コネクタにおいて、
前記雌ボディは絶縁樹脂であり、
前記雌通信アンテナ、前記雌第１基板、前記雌送電又は受電アンテナ、及び前記雌第２基板がインサート成形によって前記雌ボディの内部に埋め込まれている雌コネクタ。
【請求項１０】
請求項６〜９の何れかに記載の雌コネクタにおいて、
前記雌通信アンテナが近傍に位置する前記内面エリアと、当該雌通信アンテナとの間の距離が、当該雌通信アンテナ全体にわたって略同じ距離であり、
前記雌送電又は受電アンテナが近傍に位置する前記内面エリアと、当該雌送電又は受電アンテナとの間の距離が、当該雌送電又は受電アンテナ全体にわたって略同じ距離である雌コネクタ。
【請求項１１】
雌コネクタと、
雄コネクタとを備えており、
前記雌コネクタは、多面体状の接続孔及び前記接続孔の複数の内面を有し、前記内面が互いに重複しない内面エリアである雌ボディと、
信号を無線通信可能な雌通信アンテナと、
雌送電又は受電アンテナと、
雌第１基板と、
雌第２基板とを備えており、
前記雌通信アンテナ及び前記雌送電又は受電アンテナは、前記雌ボディ内に設けられており、且つ前記内面エリアのうちの異なる内面エリアの近傍に位置しており、
前記雌通信アンテナが前記雌第１基板上に設けられた端子又は形成された導体であり、
前記雌第１基板は、当該雌第１基板上の前記雌通信アンテナが近傍に位置する前記内面エリアに対して略平行となるように前記雌ボディ内に設けられており、
前記雌送電又は受電アンテナは前記雌第２基板上に設けられた端子又は形成された導体であり、
前記雌第２基板は、当該雌第２基板上の前記雌送電又は受電アンテナが近傍に位置する前記内面エリアに対して略平行となるように前記雌ボディ内に設けられており、
前記雄コネクタは、多面体である雄ボディであって、複数の外面を有し、前記外面が互いに重複しない外面エリアである前記雄ボディと、
信号を無線通信可能な雄通信アンテナと、
雄受電又は送電アンテナと、
雄第１基板と、
雄第２基板とを備えており、
前記雄通信アンテナ及び前記雄受電又は送電アンテナは、前記雄ボディ内に設けられており、且つ前記外面エリアのうちの異なる外面エリアの近傍に位置しており、
前記雄通信アンテナは前記雄第１基板上に設けられた端子又は形成された導体であり、
前記雄第１基板は、当該雄第１基板上の前記雄通信アンテナが近傍に位置する前記外面エリアに対して略平行となるように前記雄ボディ内に設けられており、
前記雄受電又は送電アンテナは前記雄第２基板上に設けられた端子又は形成された導体であり、
前記雄第２基板は、当該雄第２基板上の前記雄受電又は送電アンテナが近傍に位置する前記外面エリアに対して略平行となるように前記雄ボディ内に設けられており、
前記雄コネクタが前記雌コネクタの前記接続孔内に挿入され且つ位置固定された状態で、前記雄通信アンテナが近傍に位置する前記外面エリアと前記雌通信アンテナが近傍に位置する前記内面エリアとが互いに対向し、当該外面エリアの近傍に位置する前記雄通信アンテナと当該内面エリアの近傍に位置する前記雌通信アンテナとが信号を無線通信可能な範囲に配置され、且つ、前記雄受電又は送電アンテナが近傍に位置する前記外面エリアと前記雌送電又は受電アンテナが近傍に位置する前記内面エリアとが互いに対向し、前記雄受電又は送電アンテナと前記雌送電又は受電アンテナとが、無線電力伝送可能な範囲に配置される雄コネクタと雌コネクタとの接続構造。
【請求項１２】
請求項１１記載の雄コネクタと雌コネクタとの接続構造において、
前記雄コネクタが前記雌コネクタの前記接続孔内に挿入され且つ位置固定された状態で、前記雄通信アンテナが近傍に位置する前記外面エリアと前記雌通信アンテナが近傍に位置する前記内面エリアとが互いに当接し、当該外面エリアの近傍に位置する前記雄通信アンテナと当該内面エリアの近傍に位置する前記雌通信アンテナとが信号を無線通信可能な範囲に配置され、且つ、前記雄受電又は送電アンテナが近傍に位置する前記外面エリアと前記雌送電又は受電アンテナが近傍に位置する前記内面エリアとが互いに当接し、前記雄受電又は送電アンテナと前記雌送電又は受電アンテナとが、無線電力伝送可能な範囲に配置される雄コネクタと雌コネクタとの接続構造。
【発明の詳細な説明】
【技術分野】
【０００１】
本発明は雄コネクタ、雌コネクタ及び雄コネクタと雌コネクタと接続構造に関する。
【背景技術】
【０００２】
下記特許文献１には、非接触で信号を相互に伝送可能な雄コネクタと雌コネクタとの接続構造が記載されている。雄コネクタは、ボディと、送信素子と、受信素子と、光透過部材とを備えている。送信素子及び受信素子はボディ内の先端面の近傍に設けられている。光透過部材は送信素子及び受信素子の前方に位置するように前記ボディの先端部に取り付けられている。
【０００３】
雌コネクタは、接続孔を有するボディと、送信素子と、受信素子と、光透過部材と、ゴムリングとを備えている。雌コネクタのボディの接続孔に雄コネクタの先端部が嵌合可能となっている。ボディの接続孔は、嵌合した雄コネクタのボディの先端面に対向する奥側面を有している。ゴムリングは接続孔の開口縁部に固着されている。ゴムリングが雌コネクタの接続孔の開口縁部と接続孔内に嵌合した雄コネクタのボディとの間に介在することによって、両コネクタの接続部分に水（湿気を含む。）、塵、埃、汚染物質及び／又は腐食物質が付着しないようにしている。送信素子及び受信素子はボディ内の奥側面の近傍に設けられている。光透過部材は送信素子及び受信素子の前方に位置するように前記ボディの接続孔の奥側部分に取り付けられている。
【先行技術文献】
【特許文献】
【０００４】
【特許文献１】特開２００２−２４６１２２号公報
【発明の概要】
【発明が解決しようとする課題】
【０００５】
上記雄コネクタ及び雌コネクタは、長期間使用されると、ゴムリングの劣化等が原因で、両コネクタの接続部分に水、塵、埃、汚染物質及び／又は腐食物質が付着する可能性がある。両コネクタの光透過部材に水、塵、埃、汚染物質及び／又は腐食物質が付着すると、通信特性が劣化する可能性があった。
【０００６】
本発明は、上記事情に鑑みて創案されたものであって、その目的とするところは、長期間の使用に適し且つ水、塵、埃、汚染物質及び／又は腐食物質が付着したとしても通信特性の劣化を抑制できる雄コネクタ、雌コネクタ及び雄コネクタと雌コネクタとの接続構造を提供することにある。
【課題を解決するための手段】
【０００７】
上記課題を解決するために、本発明の雄コネクタは、多面体である雄ボディであって、複数の外面を有し、前記外面が互いに重複しない外面エリアである雄ボディと、信号を無線通信可能な雄通信アンテナと、雄受電又は送電アンテナと、雄第１基板と、雄第２基板とを備えている。前記雄通信アンテナ及び前記雄受電又は送電アンテナは、前記雄ボディ内に設けられており、且つ前記外面エリアのうちの異なる外面エリアの近傍に位置している。前記雄通信アンテナは前記雄第１基板上に設けられた端子又は形成された導体である。前記雄第１基板は、当該雄第１基板上の前記雄通信アンテナが近傍に位置する前記外面エリアに対して略平行となるように前記雄ボディ内に設けられている。前記雄受電又は送電アンテナは前記雄第２基板上に設けられた端子又は形成された導体である。前記雄第２基板は、当該雄第２基板上の前記雄受電又は送電アンテナが近傍に位置する前記外面エリアに対して略平行となるように前記雄ボディ内に設けられている。
【０００８】
このような態様の雄コネクタは、次の技術的特徴を有している。第１に、本雄コネクタは長期間の使用に適している。なぜなら、雄通信アンテナが雄ボディの内に設けられているからである。第２に、雄通信アンテナが雄ボディ内に設けられているため、水（湿気を含む。）、塵、埃、汚染物質及び／又は腐食物質が当該雄コネクタに付着したとしても、雄通信アンテナが劣化したり腐食したりする可能性を抑制することができる。よって、雄
通信アンテナの劣化や腐食が原因で雄通信アンテナの通信特性が劣化する可能性を抑制することができる。
雄通信アンテナが外面エリアのうちの一つの近傍に位置しているため、雄通信アンテナの通信特性が向上する。また、雄通信アンテナと雄受電又は送電アンテナとが雄ボディ内の異なる外面エリアの近傍に設けられている。このため、雄通信アンテナのノイズ等が雄受電又は送電アンテナに干渉したり、雄受電又は送電アンテナのノイズ等が雄通信アンテナに干渉したりするのを抑制することができる。
【０００９】
【００１０】
【００１１】
【００１２】
【００１３】
前記雄通信アンテナは複数とすることが可能である。前記雄第１基板は複数とすることが可能である。前記雄第１基板に少なくとも一つの前記雄通信アンテナが各々設けられた構成とすることが可能である。前記雄通信アンテナは、少なくとも一つの前記雄通信アンテナが前記外面エリアの近傍に各々位置するように、前記雄ボディ内に各々設けられた構成とすることが可能である。
【００１４】
このような態様の雄コネクタによる場合、雄ボディ内の外面エリアの近傍に少なくとも一つの雄通信アンテナが各々設けられているので、各外面エリアの近傍に位置する雄通信アンテナのノイズ等が相互に干渉するのを抑制することができる。
【００１５】
前記雄受電又は送電アンテナは複数とすることが可能である。前記雄第２基板は複数とすることが可能である。前記雄第２基板に少なくとも一つの前記雄受電又は送電アンテナが各々設けられた構成とすることが可能である。前記雄受電又は送電アンテナは、少なくとも一つの前記雄受電又は送電アンテナが前記雄通信アンテナの近傍の前記外面エリアと異なる前記外面エリアの近傍に各々位置するように、前記雄ボディ内に各々設けられた構成とすることが可能である。
【００１６】
このような態様の雄コネクタによる場合、雄ボディの外面エリアの近傍に雄通信アンテナ又は少なくとも一つの雄受電又は送電アンテナが各々設けられている。このため、雄通信アンテナのノイズ等が雄受電又は送電アンテナに干渉したり、雄受電又は送電アンテナのノイズ等が雄通信アンテナに干渉したり、各外面エリアの近傍に位置する雄受電又は送電アンテナのノイズ等が相互に干渉したりするのを抑制することができる。
【００１７】
【００１８】
【００１９】
【００２０】
前記雄ボディは絶縁樹脂で構成とすることが可能である。前記雄通信アンテナ、前記雄第１基板、前記雄受電又は送電アンテナ、及び前記雄第２基板がインサート成形によって前記雄ボディの内部に埋め込まれた構成とすることが可能である。
【００２１】
この態様の雄コネクタによる場合、水（湿気を含む。）、塵、埃、汚染物質及び／又は腐食物質が雄通信アンテナ及び／又は雄受電又は送電アンテナに付着するのを防止することができるので、雄通信アンテナ及び／又は雄受電又は送電アンテナの劣化や腐食を防止することができる。
【００２２】
前記雄通信アンテナが近傍に位置する前記外面エリアと、当該雄通信アンテナとの間の距離が、当該雄通信アンテナ全体にわたって略同じ距離とすることが可能である。前記雄受電又は送電アンテナが近傍に位置する前記外面エリアと、当該雄受電又は送電アンテナとの間の距離が、当該雄受電又は送電アンテナ全体にわたって略同じ距離とすることが可能である。
【００２３】
【００２４】
【００２５】
本発明の雌コネクタは、多面体状の接続孔及び前記接続孔の複数の内面を有し、前記内面が互いに重複しない内面エリアである雌ボディと、信号を無線通信可能な雌通信アンテナと、雌送電又は受電アンテナと、雌第１基板と、雌第２基板とを備えている。前記雌通信アンテナ及び雌送電又は受電アンテナは、前記雌ボディ内に設けられており、且つ前記内面エリアのうちの異なる内面エリアの近傍に位置している。前記雌通信アンテナが前記雌第１基板上に設けられた端子又は形成された導体である。前記雌第１基板は、当該雌第１基板上の前記雌通信アンテナが近傍に位置する前記内面エリアに対して略平行となるように前記雌ボディ内に設けられている。前記雌送電又は受電アンテナは前記雌第２基板上に設けられた端子又は形成された導体である。前記雌第２基板は、当該雌第２基板上の前記雌送電又は受電アンテナが近傍に位置する前記内面エリアに対して略平行となるように前記雌ボディ内に設けられている。
【００２６】
このような態様の雌コネクタは、次の技術的特徴を有している。第１に、本雌コネクタは長期間の使用に適している。なぜなら、雌通信アンテナが雌ボディ内に設けられているからである。第２に、雌通信アンテナが雌ボディ内に設けられているため、水（湿気を含む。）、塵、埃、汚染物質及び／又は腐食物質が雌コネクタに付着したとしても、雌通信アンテナが劣化したり腐食したりする可能性を低減することができる。よって、雌通信アンテナの劣化や腐食が原因で雌通信アンテナの通信特性が劣化する可能性を抑制することができる。
雌通信アンテナが内面エリアのうちの一つの近傍に位置しているため、雌通信アンテナの通信特性が向上する。
雌通信アンテナと雌送電又は受電アンテナとが雌ボディ内の異なる内面エリアの近傍に設けられている。このため、雌通信アンテナのノイズ等が雌送電又は受電アンテナに干渉したり、雌送電又は受電アンテナのノイズ等が雌通信アンテナに干渉したりするのを抑制することができる。
【００２７】
【００２８】
【００２９】
【００３０】
【００３１】
前記雌通信アンテナは複数とすることが可能である。前記雌第１基板は複数とすることが可能である。前記雌第１基板に少なくとも一つの前記雌通信アンテナが各々設けられた構成とすることが可能である。前記雌通信アンテナは、少なくとも一つの前記雌通信アンテナが前記内面エリアの近傍に各々位置するように、前記雌ボディ内に各々設けられた構成とすることが可能である。
【００３２】
このような態様の雌コネクタによる場合、雌ボディ内の内面エリアの近傍に少なくとも一つの雌通信アンテナが各々設けられているので、各内面エリアの近傍に位置する雌通信アンテナのノイズ等が相互に干渉するのを抑制することができる。
【００３３】
前記雌送電又は受電アンテナは複数とすることが可能である。前記雌第２基板は複数とすることが可能である。前記雌第２基板に少なくとも一つの前記雌送電又は受電アンテナが各々設けられた構成とすることが可能である。前記雌送電又は受電アンテナは、少なくとも一つの前記雌送電又は受電アンテナが前記雌通信アンテナの近傍の前記内面エリアと異なる前記内面エリアの近傍に各々位置するように、前記雌ボディ内に各々設けられた構成とすることが可能である。
【００３４】
このような態様の雌コネクタによる場合、雌ボディ内の内面エリアの近傍に雌通信アンテナ又は少なくとも一つの雌送電又は受電アンテナが各々設けられている。このため、雌通信アンテナのノイズ等が雌送電又は受電アンテナに干渉したり、雌送電又は受電アンテナのノイズ等が雌通信アンテナに干渉したり、各内面エリアの近傍に位置する雌送電又は受電アンテナのノイズ等が相互に干渉したりするのを抑制することができる。
【００３５】
【００３６】
【００３７】
【００３８】
前記雌ボディは絶縁樹脂で構成することが可能である。前記雌通信アンテナ、前記雌第１基板、前記雌送電又は受電アンテナ、及び前記雌第２基板がインサート成形によって前記雌ボディの内部に埋め込まれた構成とすることが可能である。
【００３９】
この態様の雌コネクタによる場合、水（湿気を含む。）、塵、埃、汚染物質及び／又は腐食物質が雌通信アンテナ及び／又は雌送電又は受電アンテナに付着するのを防止することができるので、雌通信アンテナ及び／又は雌送電又は受電アンテナの劣化や腐食を防止することができる。
【００４０】
前記雌通信アンテナが近傍に位置する前記内面エリアと、当該雌通信アンテナとの間の距離が、当該雌通信アンテナ全体にわたって略同じ距離とすることが可能である。前記雌送電又は受電アンテナが近傍に位置する前記内面エリアと、当該雌送電又は受電アンテナとの間の距離が、当該雌送電又は受電アンテナ全体にわたって略同じ距離とすることが可能である。
【００４１】
【００４２】
【００４３】
本発明の雄コネクタと雌コネクタとの接続構造は、雌コネクタと、雄コネクタとを備えている。
前記雌コネクタは、多面体状の接続孔及び前記接続孔の複数の内面を有し、前記内面が互いに重複しない内面エリアである雌ボディと、信号を無線通信可能な雌通信アンテナと、雌送電又は受電アンテナと、雌第１基板と、雌第２基板とを備えている。前記雌通信アンテナ及び雌送電又は受電アンテナは、前記雌ボディ内に設けられており、且つ内面エリアのうちの異なる内面エリアの近傍に位置している。前記雌通信アンテナが前記雌第１基板上に設けられた端子又は形成された導体である。前記雌第１基板は、当該雌第１基板上の前記雌通信アンテナが近傍に位置する前記内面エリアに対して略平行となるように前記雌ボディ内に設けられている。前記雌送電又は受電アンテナは前記雌第２基板上に設けられた端子又は形成された導体である。前記雌第２基板は、当該雌第２基板上の前記雌送電又は受電アンテナが近傍に位置する前記内面エリアに対して略平行となるように前記雌ボディ内に設けられている。
前記雄コネクタは、多面体である雄ボディであって、複数の外面を有し、前記外面が互いに重複しない外面エリアである雄ボディと、信号を無線通信可能な雄通信アンテナと、雄受電又は送電アンテナと、雄第１基板と、雄第２基板とを備えている。前記雄通信アンテナ及び前記雄受電又は送電アンテナは、前記雄ボディ内に設けられており、且つ前記外面エリアのうちの異なる外面エリアの近傍に位置している。前記雄通信アンテナは前記雄第１基板上に設けられた端子又は形成された導体である。前記雄第１基板は、当該雄第１基板上の前記雄通信アンテナが近傍に位置する前記外面エリアに対して略平行となるように前記雄ボディ内に設けられている。前記雄受電又は送電アンテナは前記雄第２基板上に設けられた端子又は形成された導体である。前記雄第２基板は、当該雄第２基板上の前記雄受電又は送電アンテナが近傍に位置する前記外面エリアに対して略平行となるように前記雄ボディ内に設けられている。
前記雄コネクタが前記雌コネクタの前記接続孔内に挿入され且つ位置固定された状態で、前記雄通信アンテナが近傍に位置する前記外面エリアと前記雌通信アンテナが近傍に位置する前記内面エリアとが互いに対向し、当該外面エリアの近傍に位置する前記雄通信アンテナと当該内面エリアの近傍に位置する前記雌通信アンテナとが信号を無線通信可能な範囲に配置され、且つ、前記雄受電又は送電アンテナが近傍に位置する前記外面エリアと前記雌送電又は受電アンテナが近傍に位置する前記内面エリアとが互いに対向し、前記雄受電又は送電アンテナと前記雌送電又は受電アンテナとが、無線電力伝送可能な範囲に配置される。
【００４４】
このような態様の接続構造による場合、次の技術的特徴を有している。第１に、本接続構造は長期間の使用に適している。なぜなら、雌通信アンテナが雌ボディ内に設けられ、雄通信アンテナが雄ボディ内に設けられているからである。第２に、水（湿気を含む。）、塵、埃、汚染物質及び／又は腐食物質が雌コネクタ及び雄コネクタにボディに付着したとしても、雌通信アンテナ及び雄通信アンテナが劣化したり腐食したりする可能性を低減することができる。よって、雌通信アンテナと雄通信アンテナとの通信特性が劣化する可能性を抑制することができる。第３に、雌通信アンテナと雄通信アンテナとが無線通信不能となる可能性を低減することができる。前記接続状態で、雄通信アンテナと雌通信アンテナとが信号を無線通信可能な範囲に配置されるからである。
雌通信アンテナと雄通信アンテナとの通信特性が向上する。接続状態で、雄通信アンテナが近傍に位置する外面エリアと雌通信アンテナが近傍に位置する内面エリアとが対向し、前記雄通信アンテナと前記雌通信アンテナとが信号を無線通信可能な範囲に配置されるからである。
【００４５】
【００４６】
【００４７】
【００４８】
【００４９】
【００５０】
【００５１】
【００５２】
【００５３】
【００５４】
【００５５】
【００５６】
【００５７】
【図面の簡単な説明】
【００５８】
【図１Ａ】本発明の実施例１に係る雄コネクタの概略的斜視図であって、内部が透過した図である。
【図１Ｂ】前記雄コネクタの図１Ａ中の１Ｂ−１Ｂ断面図である。
【図２Ａ】前記雄コネクタの雄第１基板及び雄通信アンテナの説明図である。
【図２Ｂ】前記雄コネクタの雄第２基板及び雄受電アンテナの説明図である。
【図２Ｃ】前記雄コネクタの雄第３基板の説明図である。
【図３Ａ】本発明の実施例１に係る雌コネクタの概略的斜視図であって、内部が透過した図である。
【図３Ｂ】前記雌コネクタの図２Ａ中の２Ｂ−２Ｂ断面図である。
【図４Ａ】前記雌コネクタの雌第１基板及び雌通信アンテナの説明図である。
【図４Ｂ】前記雌コネクタの雌第２基板及び雌送電アンテナの説明図である。
【図４Ｃ】前記雌コネクタの雌第３基板の説明図である。
【図５】本発明の実施例１の前記雄コネクタと前記雌コネクタとの接続構造の断面図である。
【図６Ａ】本発明の実施例２に係る雄コネクタの概略的断面図である。
【図６Ｂ】本発明の実施例２に係る雌コネクタの概略的断面図である。
【図７】本発明の実施例２の前記雄コネクタと前記雌コネクタとの接続構造の断面図である。
【図８Ａ】本発明の実施例３に係る雄コネクタの概略的断面図である。
【図８Ｂ】本発明の実施例３に係る雌コネクタの概略的断面図である。
【図９】本発明の実施例３の前記雄コネクタと前記雌コネクタとの接続構造の断面図である。
【発明を実施するための形態】
【００５９】
以下、本発明の実施例１〜３について説明する。
【実施例１】
【００６０】
以下、本発明の実施例１に係る雄コネクタ１００ａについて図１Ａ〜図２Ｃを参照しつつ説明する。雄コネクタ１００ａは、雄ボディ１１０ａと、雄通信アンテナ１２１ａと、雄通信アンテナ１２２ａと、通信回路１３１ａと、通信回路１３２ａと、二つの雄受電アンテナ１４０ａと、二つの受電回路１５０ａと、制御部１６０ａと、雄第１基板１７１ａと、二つの雄第２基板１７２ａと、雄第３基板１７３ａと、図示しないケーブルとを有している。以下、雄コネクタ１００ａの各構成要素について詳しく説明する。なお、図１Ａ及び図１Ｂに示すＹ−Ｙ’方向は、雄コネクタ１００ａの長手方向及び雄コネクタ１００ａの挿脱方向に相当する。図１Ａ及び図１Ｂに示すＺ−Ｚ’方向は、雄コネクタ１００ａの高さ方向に相当する。図１Ａに示すＸ−Ｘ’方向は、雄コネクタ１００ａの短手方向に相当する。
【００６１】
雄ボディ１１０ａは、図１Ａ及び図１Ｂに示すように、絶縁樹脂製の多面体（本実施例
１では、六面体（直方体））である。雄ボディ１１０ａは透光性を有していない（不透明である）。雄ボディ１１０ａは複数の外面１１１ａ（前側（Ｙ方向側）の外面１１１ａ、上側（Ｚ方向側）の外面１１１ａ、下側（Ｚ’方向側）の外面１１１ａ、Ｘ方向側の外面１１１ａ及びＸ’方向側の外面１１１ａ）を有している。外面１１１ａが特許請求の範囲の雄ボディの互いに重複しない外面エリアに相当する。
【００６２】
雄第１基板１７１ａは、図１Ａ〜図２Ａに示すように、リジットなプリント基板、フレキシブルプリント基板又はＰＥＴ基板等である。雄第１基板１７１ａ上には、雄通信アンテナ１２１ａ、１２２ａが設けられ且つ通信回路１３１ａ、１３２ａが実装されている。雄第１基板１７１ａは、雄通信アンテナ１２１ａ、１２２ａが雄ボディ１１０ａの内部の前側の外面１１１ａの近傍（例えば、雄通信アンテナ１２１ａ、１２２ａが外面１１１ａから数ｍｍ〜数十ｍｍの距離）に位置するように、雄ボディ１１０ａの内部に埋め込まれている。換言すると、雄第１基板１７１ａは雄ボディ１１０ａの内部における雄通信アンテナ１２１ａ、１２２ａよりも遠い部分に埋め込まれている（覆われている）。雄通信アンテナ１２１ａ、１２２ａは雄ボディ１１０ａの内部における雄第１基板１７１ａよりも前側の外面１１１ａの近傍部分に埋め込まれている（覆われている）。雄第１基板１７１ａは、前側の外面１１１ａに対して略平行である。
【００６３】
雄通信アンテナ１２１ａは信号を無線通信可能な送信用のアンテナである。雄通信アンテナ１２２ａは信号を無線通信可能な受信用のアンテナである。雄通信アンテナ１２１ａ、１２２ａは、例えば、ＵＷＢ（Ｕｌｔｒａ  Ｗｉｄｅ  Ｂａｎｄ）、無線ＬＡＮ又はＢｌｕｅｔｏｏｔｈ（登録商標）等の通信方式に適応した通信アンテナとすることが可能である。雄通信アンテナ１２１ａ、１２２ａは、図１Ｂ〜図２Ａに示すように、雄第１基板１７１ａ上に形成された導体である。すなわち、雄通信アンテナ１２１ａ、１２２ａは、雄第１基板１７１ａに電気的に接続されている。図１Ｂでは、説明の便宜上、雄通信アンテナ１２１ａ、１２２ａの厚みを誇張して図示されている。なお、図１Ａでは、雄通信アンテナ１２１ａ、１２２ａは図示されていない。
【００６４】
通信回路１３１ａは、図１Ｂ〜図２Ａに示すように、雄通信アンテナ１２１ａに信号を送信させるためのＩＣであって、雄通信アンテナ１２１ａに接続されている。通信回路１３２ａは雄通信アンテナ１２２ａに信号を受信させるための通信用ＩＣであって、雄通信アンテナ１２２ａに接続されている。通信回路１３１ａ、１３２ａは、雄第１基板１７１ａと共に雄ボディ１１０ａの内部に埋め込まれている（覆われている）。通信回路１３１ａは、制御部１６０ａから受信したデータに基づいて送信信号を生成し、雄通信アンテナ１２１ａに所定の通信方式に従った無線信号として無線送信させる構成となっている。通信回路１３２ａは、雄通信アンテナ１２２ａに受信された所定の通信方式に従った無線信号を復調等の処理をし、再現したデータを制御部１６０ａに送信する構成となっている。所定の通信方式に従った無線信号としては、例えば、ＵＷＢ（Ｕｌｔｒａ  Ｗｉｄｅ  Ｂａｎｄ）、無線ＬＡＮ又はＢｌｕｅｔｏｏｔｈ（登録商標）等に従った無線信号がある。なお、図１Ａでは、通信回路１３１ａ、１３２ａは図示されていない。
【００６５】
雄第２基板１７２ａは、図１Ａ〜図１Ｂ及び図２Ｂに示すように、リジットなプリント基板、フレキシブルプリント基板又はＰＥＴ基板等である。雄第２基板１７２ａのうちの一方上には雄受電アンテナ１４０ａのうちの一方が設けられており、雄第２基板１７２ａのうちの他方上には雄受電アンテナ１４０ａのうちの他方が設けられている。一方の雄第２基板１７２ａは、一方の雄受電アンテナ１４０ａが雄ボディ１１０ａ内の上側の外面１１１ａの近傍に位置するように、雄ボディ１１０ａの内部に埋め込まれている。換言すると、一方の雄第２基板１７２ａは雄ボディ１１０ａの内部における一方の雄受電アンテナ１４０ａよりも上側の外面１１１ａから遠い部分に埋め込まれている（覆われている）。一方の雄受電アンテナ１４０ａは雄ボディ１１０ａの内部における一方の雄第２基板１７
２ａよりも上側の外面１１１ａの近傍部分に埋め込まれている（覆われている）。一方の雄第２基板１７２ａは、上側の外面１１１ａに対して略平行であっても良いし、傾斜していても良いし、直角であっても良い。他方の雄第２基板１７２ａは、他方の雄受電アンテナ１４０ａが雄ボディ１１０ａ内の下側の外面１１１ａの近傍に位置するように、雄ボディ１１０ａの内部に埋め込まれている。換言すると、他方の雄第２基板１７２ａは雄ボディ１１０ａの内部における他方の雄受電アンテナ１４０ａよりも下側の外面１１１ａから遠い部分に埋め込まれている（覆われている）。他方の雄受電アンテナ１４０ａは雄ボディ１１０ａの内部における他方の雄第２基板１７２ａよりも下側の外面１１１ａの近傍部分に埋め込まれている（覆われている）。他方の雄第２基板１７２ａは、下側の外面１１１ａに対して略平行であっても良いし、傾斜していても良いし、直角であっても良い。
【００６６】
雄受電アンテナ１４０ａは、電磁誘導方式、電磁界共鳴方式、電界結合方式又は電波方式によって、無線で電力を受電可能な２次アンテナである。雄受電アンテナ１４０ａは、図１Ａ〜図１Ｂ及び図２Ｂに示すように、雄第２基板１７２ａ上に各々形成された導体である。すなわち、雄受電アンテナ１４０ａは、雄第２基板１７２ａに各々電気的に接続されている。図１Ｂでは、説明の便宜上、雄受電アンテナ１４０ａの厚みを誇張して図示されている。なお、図１Ａでは、雄受電アンテナ１４０ａは図示されていない。
【００６７】
雄第３基板１７３ａは、図１Ａ〜図１Ｂ及び図２Ｃに示すように、リジットなプリント基板、フレキシブルプリント基板又はＰＥＴ基板等である。雄第３基板１７３ａは、雄ボディ１１０ａ内の雄第１基板１７１ａの後側（Ｙ’方向側）に位置するように、雄ボディ１１０ａの内部に埋め込まれている（覆われている）。雄第３基板１７３ａは、雄第１基板１７１ａと図示しない第１接続部（例えば、ピン、リード線又はＦＰＣ等）によって接続されている。雄第３基板１７３ａは、一対の雄第２基板１７２ａと図示しない第２接続部（例えば、ピン、リード線又はＦＰＣ等）によって各々接続されている。
【００６８】
受電回路１５０ａは雄受電アンテナ１４０ａで受けたエネルギー（電磁波等）を電力に変換する受電ＩＣである。受電回路１５０ａは、雄第３基板１７３ａ上に実装され、雄第３基板１７３ａと共に雄ボディ１１０ａの内部に埋め込まれている（覆われている）。受電回路１５０ａの一方は上記第２接続部を介して一方の雄第２基板１７２ａ上の一方の雄受電アンテナ１４０ａに接続されている。雄第３基板１７３ａ上の受電回路１５０ａの他方が他方の雄第２基板１７２ａ上の他方の雄受電アンテナ１４０ａに上記第２接続部を介して接続されている。なお、図１Ａでは、受電回路１５０ａは図示省略されている。
【００６９】
一方の受電回路１５０ａ及び一方の雄受電アンテナ１４０ａと、他方の受電回路１５０ａ及び他方の雄受電アンテナ１４０ａとは、同じ負荷で電力を受電可能な構成であっても良いし、相違する負荷で電力を受電可能な構成であって良い。
【００７０】
制御部１６０ａは、通信回路１３１ａ、１３２ａ及び受電回路１５０ａを制御するためのマイコンである。制御部１６０ａは、図２Ｃに示すように、雄第３基板１７３ａに実装されている。制御部１６０ａは受電回路１５０ａに各々接続されている。制御部１６０ａは上記第１接続部を介して通信回路１３１ａ、１３２ａに各々接続されている。制御部１６０ａは雄第３基板１７３ａと共に雄ボディ１１０ａの内部に埋め込まれている（覆われている）。なお、図１Ａでは、制御部１６０は図示省略されている。
【００７１】
上記ケーブルは、通信線と、電力線とを有している。ケーブルの長さ方向の一端部から、複数の通信線及び電力線が突出している。突出した通信線は雄第３基板１７３ａに接続されている。これにより、通信線が制御部１６０ａに各々接続されている。突出した電力線は雄第３基板１７３ａに接続されている。これにより、電力線が受電回路１５０ａに各々接続されている。ケーブルの一端部（突出した通信線及び電力線を含む。）は、雄ボディ１１０ａの内部に埋め込まれている。換言すると、ケーブルの一端部以外の部分が雄ボディ１１０ａからＹ’方向に引き出されている。
【００７２】
以下、上述した雄コネクタ１００ａの製造方法について詳しく説明する。まず、雄第１基板１７１ａ、一対の雄第２基板１７２ａ及び雄第３基板１７３ａを用意する。その後、雄第１基板１７１ａ上に雄通信アンテナ１２１ａ、１２２ａを形成し、且つ通信回路１３１ａ、１３２ａを実装する。これにより、通信回路１３１ａが雄通信アンテナ１２１ａに、通信回路１３２ａが雄通信アンテナ１２２ａに接続される。雄第２基板１７２ａ上に雄受電アンテナ１４０ａを各々形成する。雄第３基板１７３ａに、受電回路１５０ａ及び制御部１６０ａを実装する。これにより、制御部１６０ａが受電回路１５０ａに各々接続される。
【００７３】
その後、上記第１、第２接続部を用意する。第１接続部により雄第３基板１７３ａを雄第１基板１７１ａに接続させる。これにより、雄第３基板１７３ａ上の制御部１６０ａが雄第１基板１７１ａ上の通信回路１３１ａ、１３２ａに各々接続される。第２接続部によって雄第３基板１７３ａを一対の雄第２基板１７２ａに各々接続させる。これにより、雄第３基板１７３ａ上の一対の受電回路１５０ａが一対の雄第２基板１７２ａ上の雄受電アンテナ１４０ａに各々接続される。その後、ケーブルを用意する。ケーブルの通信線及び電力線を雄第３基板１７３ａに各々接続する。
【００７４】
その後、雄第１基板１７１ａ、一対の雄第２基板１７２ａ、雄第３基板１７３ａ、第１、第２接続部及びケーブルの一端部を図示しない金型のキャビティ内に入れる。このとき、雄第１基板１７１ａが金型のキャビティの前側の内面に対して略平行となり且つ雄通信アンテナ１２１ａ、１２２ａが当該内面の近傍に配置されるように、当該雄第１基板１７１ａが金型のキャビティ内で位置固定される。雄第３基板１７３ａが雄第１基板１７１ａの後側に位置するように金型のキャビティ内で位置固定される。一方の雄受電アンテナ１４０ａが金型のキャビティの上側の内面の近傍に位置するように、一方の雄第２基板１７２ａが金型のキャビティ内で位置固定される。他方の雄受電アンテナ１４０ａが金型のキャビティの下側の内面の近傍に位置するように、他方の雄第２基板１７２ａが金型のキャビティ内で位置固定される。
【００７５】
その後、金型のキャビティ内に絶縁樹脂を射出し、充填させる。その後、絶縁樹脂を硬化させる。硬化した絶縁樹脂が雄ボディ１１０ａとして成形される。このとき、雄第１基板１７１ａ、雄通信アンテナ１２１ａ、１２２ａ及び通信回路１３１ａ、１３２ａが雄ボディ１１０ａの内部にインサート成形によって埋め込まれる。これにより、雄第１基板１７１ａが雄ボディ１１０ａ内の前側の外面１１１ａに対して略平行となる。雄通信アンテナ１２１ａ、１２２ａが雄ボディ１１０ａの内部の前側の外面１１１ａの近傍に配置される。雄第３基板１７３ａ、受電回路１５０ａ及び制御部１６０ａが雄ボディ１１０ａの内部にインサート成形によって埋め込まれる。これにより、雄第３基板１７３ａが雄第１基板１７１ａの後側に配置される。一方の雄第２基板１７２ａ及び一方の雄受電アンテナ１４０ａが雄ボディ１１０ａの内部にインサート成形によって埋め込まれる。これにより、一方の雄受電アンテナ１４０ａが雄ボディ１１０ａの内部の上側の外面１１１ａの近傍に配置される。他方の雄第２基板１７２ａ及び他方の雄受電アンテナ１４０ａが雄ボディ１１０ａの内部にインサート成形によって埋め込まれる。これにより、他方の雄受電アンテナ１４０ａが雄ボディ１１０ａの内部の下側の外面１１１ａの近傍に配置される。以上のとおり、雄コネクタ１００ａが製造される。
【００７６】
以下、本発明の実施例１に係る雌コネクタ１００ｂについて図３Ａ〜図４Ｃを参照しつつ説明する。雌コネクタ１００ｂは雄コネクタ１００ａと接続可能である。雌コネクタ１００ｂは、雌ボディ１１０ｂと、雌通信アンテナ１２１ｂと、雌通信アンテナ１２２ｂと
、通信回路１３１ｂと、通信回路１３２ｂと、二つの雌送電アンテナ１４０ｂと、二つの送電回路１５０ｂと、制御部１６０ｂと、雌第１基板１７１ｂと、二つの雌第２基板１７２ｂと、雌第３基板１７３ｂと、図示しない複数の第１外部接続部と、図示しない複数の第２外部接続部とを有している。以下、雌コネクタ１００ｂの各構成要素について詳しく説明する。なお、図３Ａ及び図３Ｂに示すＹ−Ｙ’方向は、雌コネクタ１００ｂの長手方向及び雄コネクタ１００ａの挿脱方向に相当する。図３Ａ及び図３Ｂに示すＺ−Ｚ’方向は、雌コネクタ１００ｂの高さ方向に相当する。図３Ａに示すＸ−Ｘ’方向は、雌コネクタ１００ｂの短手方向に相当する。
【００７７】
雌ボディ１１０ｂは、図３Ａ及び図３Ｂに示すように、絶縁樹脂である。雌ボディ１１０ｂは透光性を有していない（不透明である）。雌ボディ１１０ｂには、接続孔１１１ｂが設けられている。接続孔１１１ｂは、雄コネクタ１００ａの外形に対応し且つＹ’方向に開口した多面体状（本実施例１では、六面体（直方体）状）の有底の孔である。接続孔１１１ｂに雄コネクタ１００ａがＹ−Ｙ’方向に挿脱可能である。接続孔１１１ｂに雄コネクタ１００ａが嵌合することによって、当該雄コネクタ１００ａが接続孔１１１ｂ内で位置固定されるようになっている。雌ボディ１１０ｂは、接続孔１１１ｂの複数の内面１１２ｂ（奥側（Ｙ方向側）の内面１１２ｂ、上側（Ｚ方向側）の内面１１２ｂ、下側（Ｚ’方向側）の内面１１２ｂ、Ｘ方向側の内面１１２ｂ及びＸ’方向側の内面１１２ｂ）を有している。内面１１２ｂが特許請求の範囲の雌ボディの接続孔の互いに重複しない内面エリアに相当する。
【００７８】
雄コネクタ１００ａが雌コネクタ１００ｂの接続孔１１１ｂに嵌合し位置固定された状態（以下、この状態を接続状態と称する。）で、奥側の内面１１２ｂが雄コネクタ１００ａの前側の外面１１１ａに対して略平行に、上側の内面１１２ｂが雄コネクタ１００ａの上側の外面１１１ａに対して略平行に、下側の内面１１２ｂが雄コネクタ１００ａの下側の外面１１１ａに対して略平行に、Ｘ方向側の内面１１２ｂが雄コネクタ１００ａのＸ方向側の外面１１１ａに対して略平行に、Ｘ’方向側の内面１１２ｂが雄コネクタ１００ａのＸ’方向側の外面１１１ａに対して略平行に対向可能である。
【００７９】
雌第１基板１７１ｂは、図３Ａ〜図４Ａに示すように、リジットなプリント基板、フレキシブルプリント基板又はＰＥＴ基板等である。雌第１基板１７１ｂ上には、雌通信アンテナ１２１ｂ、１２２ｂが設けられ且つ通信回路１３１ｂ、１３２ｂが実装されている。雌第１基板１７１ｂは、雌通信アンテナ１２１ｂ、１２２ｂが雌ボディ１１０ｂ内の接続孔１１１ｂの奥側の内面１１２ｂの近傍（例えば、雌通信アンテナ１２１ｂ、１２２ｂが内面１１２ｂから数ｍｍ〜数十ｍｍの距離）に位置するように、雌ボディ１１０ｂの内部に埋め込まれている。換言すると、雌第１基板１７１ｂは雌ボディ１１０ｂの内部における雌通信アンテナ１２１ｂ、１２２ｂよりも奥側の内面１１２ｂから遠い部分に埋め込まれている（覆われている）。雌通信アンテナ１２１ｂ、１２２ｂは雌ボディ１１０ｂの内部における雌第１基板１７１ｂよりも奥側の内面１１２ｂの近傍部分に埋め込まれている（覆われている）。雌第１基板１７１ｂは、奥側の内面１１２ｂに対して略平行である。
【００８０】
雌通信アンテナ１２１ｂは信号を無線通信可能な受信用のアンテナである。雌通信アンテナ１２２ｂは信号を無線通信可能な送信用のアンテナである。雌通信アンテナ１２１ｂ、１２２ｂは、例えば、ＵＷＢ（Ｕｌｔｒｂ  Ｗｉｄｅ  Ｂｂｎｄ）、無線ＬＡＮ又はＢｌｕｅｔｏｏｔｈ（登録商標）等の通信方式に適応した通信アンテナとすることが可能である。雌通信アンテナ１２１ｂ、１２２ｂは、図３Ｂ〜図４Ａに示すように、雌第１基板１７１ｂ上に形成された導体である。すなわち、雌通信アンテナ１２１ｂ、１２２ｂは、雌第１基板１７１ｂに電気的に接続されている。雌通信アンテナ１２１ｂ、１２２ｂは、雌第１基板１７１ｂと共に雌ボディ１１０ｂの内部に埋め込まれている（覆われている）。上記接続状態で、雌通信アンテナ１２１ｂと雄コネクタ１００ａの雄通信アンテナ１２
１ａとが、雌通信アンテナ１２２ｂと雄コネクタ１００ａの雄通信アンテナ１２２ａとが無線通信可能な範囲に配置されるようになっている。図３Ｂでは、説明の便宜上、雌通信アンテナ１２１ｂ、１２２ｂの厚みを誇張して図示されている。なお、図３Ａでは、雌通信アンテナ１２１ｂ、１２２ｂは図示されていない。
【００８１】
通信回路１３１ｂは、図３Ｂ〜図４Ａに示すように、雌通信アンテナ１２１ｂに信号を受信させるためのＩＣであって、雌通信アンテナ１２１ｂに接続されている。通信回路１３２ｂは雌通信アンテナ１２２ｂに信号を送信させるための通信用ＩＣであって、雌通信アンテナ１２２ｂに接続されている。通信回路１３１ｂ、１３２ｂは、雌第１基板１７１ｂと共に雌ボディ１１０ｂの内部に埋め込まれている（覆われている）。通信回路１３１ｂは、雌通信アンテナ１２１ｂに受信された所定の通信方式に従った無線信号を復調等の処理をし、再現したデータを制御部１６０ｂに送信する構成となっている。通信回路１３２ｂは、制御部１６０ｂから受信したデータに基づいて送信信号を生成し、雌通信アンテナ１２２ｂに所定の通信方式に従った無線信号として無線送信させる構成となっている。所定の通信方式に従った無線信号としては、例えば、ＵＷＢ（Ｕｌｔｒａ  Ｗｉｄｅ  Ｂａｎｄ）、無線ＬＡＮ又はＢｌｕｅｔｏｏｔｈ（登録商標）等に従った無線信号がある。なお、図３Ａでは、通信回路１３１ｂ、１３２ｂは図示されていない。
【００８２】
雌第２基板１７２ｂは、図３Ａ〜図３Ｂ及び図４Ｂに示すように、リジットなプリント基板、フレキシブルプリント基板又はＰＥＴ基板等である。雌第２基板１７２ｂのうちの一方上には雌送電アンテナ１４０ｂのうちの一方が設けられている。雌第２基板１７２ｂのうちの他方上には雌送電アンテナ１４０ｂのうちの他方が設けられている。一方の雌第２基板１７２ｂは、一方の雌送電アンテナ１４０ｂが雌ボディ１１０ｂ内の上側の内面１１２ｂの近傍に位置するように、雌ボディ１１０ｂの内部に埋め込まれている。換言すると、一方の雌第２基板１７２ｂは雌ボディ１１０ｂの内部における一方の雌送電アンテナ１４０ｂよりも上側の内面１１２ｂから遠い部分に埋め込まれている（覆われている）。一方の雌送電アンテナ１４０ｂは雌ボディ１１０ｂの内部における一方の雌第２基板１７２ｂよりも上側の内面１１２ｂの近傍部分に埋め込まれている（覆われている）。一方の雌第２基板１７２ｂは、上側の内面１１２ｂに対して略平行であっても良いし、傾斜していても良いし、直角であっても良い。他方の雌第２基板１７２ｂは、他方の雌送電アンテナ１４０ｂが雌ボディ１１０ｂ内の下側の内面１１２ｂの近傍に位置するように、雌ボディ１１０ｂの内部に埋め込まれている。換言すると、他方の雌第２基板１７２ｂは雌ボディ１１０ｂの内部における他方の雌送電アンテナ１４０ｂよりも下側の内面１１２ｂから遠い部分に埋め込まれている（覆われている）。他方の雌送電アンテナ１４０ｂは雌ボディ１１０ｂの内部における他方の雌第２基板１７２ｂよりも下側の内面１１２ｂの近傍部分に埋め込まれている。他方の雌第２基板１７２ｂは、下側の内面１１２ｂに対して略平行であっても良いし、傾斜していても良いし、直角であっても良い。
【００８３】
雌送電アンテナ１４０ｂは、電磁誘導方式、電磁界共鳴方式、電界結合方式又は電波方式によって、無線で電力を送電可能な１次アンテナである。雌送電アンテナ１４０ｂは、図３Ａ〜図３Ｂ及び図４Ｂに示すように、雌第２基板１７２ｂ上に各々形成された導体である。すなわち、雌送電アンテナ１４０ｂは、雌第２基板１７２ｂに各々電気的に接続されている。上記接続状態で、一方の雌送電アンテナ１４０ｂと雄コネクタ１００ａの一方の雄受電アンテナ１４０ａとが無線電力伝送可能な範囲に配置され、他方の雌送電アンテナ１４０ｂと雄コネクタ１００ａの他方の雄受電アンテナ１４０ａとが無線電力伝送可能な範囲に配置されるようになっている。図３Ｂでは、説明の便宜上、雌送電アンテナ１４０ｂの厚みを誇張して図示されている。なお、図３Ａでは、雌送電アンテナ１４０ｂは図示されていない。
【００８４】
雌第３基板１７３ｂは、図３Ａ〜図３Ｂ及び図４Ｃに示すように、リジットなプリント
基板、フレキシブルプリント基板又はＰＥＴ基板等である。雌第３基板１７３ｂは、雌ボディ１１０ｂ内の他方の雌第２基板１７２ｂの下側（Ｚ’方向側）に位置するように、雌ボディ１１０ｂの内部に埋め込まれている（覆われている）。雌第３基板１７３ｂは、雌第１基板１７１ｂと図示しない第１接続部（例えば、ピン、リード線又はＦＰＣ等）によって接続されている。雌第３基板１７３ｂは、一対の雌第２基板１７２ｂと図示しない第２接続部（例えば、ピン、リード線又はＦＰＣ等）によって各々接続されている。
【００８５】
送電回路１５０ｂは、上記第２外部接続部を介して図外の外部電源から供給される電力を、電磁誘導方式、電磁界共鳴方式、電界結合方式又は電波方式で送電するのに適した電力（例えば、高周波電力）に変換して雌送電アンテナ１４０ｂに供給する送電ＩＣである。送電回路１５０ｂは、雌第３基板１７３ｂ上に実装され、雌第３基板１７３ｂと共に雌ボディ１１０ｂの内部に埋め込まれている（覆われている）。送電回路１５０ｂの一方は上記第２接続部を介して一方の雌第２基板１７２ｂ上の一方の雌送電アンテナ１４０ｂに接続され、雌第３基板１７３ｂ上の送電回路１５０ｂの他方が他方の雌第２基板１７２ｂ上の他方の雌送電アンテナ１４０ｂに上記第２接続部を介して接続されている。なお、図３Ａでは、送電回路１５０ｂは図示省略されている。
【００８６】
制御部１６０ｂは、通信回路１３１ｂ、１３２ｂ及び送電回路１５０ｂを制御するためのマイコンである。制御部１６０ｂは、図４Ｃに示すように、雌第３基板１７３ｂに実装されている。制御部１６０ｂは送電回路１５０ｂに各々接続されている。制御部１６０ｂは上記第１接続部を介して通信回路１３１ｂ、１３２ｂに各々接続されている。制御部１６０ｂは雌第３基板１７３ｂと共に雌ボディ１１０ｂの内部に埋め込まれている（覆われている）。なお、図３Ａでは、制御部１６０は図示省略されている。
【００８７】
上記第１外部接続部は信号通信用の端子、ピン又はフレキシブル基板等であって、先端部と、後端部とを有している。第１外部接続部の後端部以外の部分（接続部を含む。）は雌ボディ１１０ｂの内部に埋め込まれている。換言すると、第１外部接続部の後端部は雌ボディ１１０ｂから当該雌ボディ１１０ｂの外部に突出している。第１外部接続部の先端部は雌第３基板１７３ｂに各々接続されている。これにより、第１外部接続部が当該雌第３基板１７３ｂを介して制御部１６０ａに各々接続されている。第１外部接続部の後端部が外部接続可能な部位である。
【００８８】
上記第２外部接続部は電力伝送用の端子、ピン又はフレキシブル基板等であって、先端部と、後端部とを有している。第２外部接続部の後端部以外の部分（接続部を含む。）は雌ボディ１１０ｂの内部に埋め込まれている。換言すると、第２外部接続部の後端部は雌ボディ１１０ｂから当該雌ボディ１１０ｂの外部に突出している。第２外部接続部の先端部は雌第３基板１７３ｂに各々接続されている。これにより、第２外部接続部が当該雌第３基板１７３ｂを介して送電回路１５０ｂに各々接続されている。第２外部接続部の後端ル部が外部接続可能な部位である。
【００８９】
以下、上述した雌コネクタ１００ｂの製造方法について詳しく説明する。まず、雌第１基板１７１ｂ、一対の雌第２基板１７２ｂ及び雌第３基板１７３ｂを用意する。その後、雌第１基板１７１ｂ上に雌通信アンテナ１２１ｂ、１２２ｂを形成し、且つ通信回路１３１ｂ、１３２ｂを実装させる。これにより、通信回路１３１ｂが雌通信アンテナ１２１ｂに、通信回路１３２ｂが雌通信アンテナ１２２ｂに接続される。雌第２基板１７２ｂ上に雌送電アンテナ１４０ｂを各々形成する。雌第３基板１７３ｂに、送電回路１５０ｂ及び制御部１６０ｂを実装させる。これにより、制御部１６０ｂが送電回路１５０ｂに各々接続される。
【００９０】
その後、上記第１、第２接続部を用意する。第１接続部により雌第３基板１７３ｂを雌第１基板１７１ｂに接続させる。これにより、雌第３基板１７３ｂ上の制御部１６０ｂが雌第１基板１７１ｂ上の通信回路１３１ｂ、１３２ｂに各々接続される。第２接続部によって雌第３基板１７３ｂを一対の雌第２基板１７２ｂに各々接続させる。これにより、雌第３基板１７３ｂ上の一対の送電回路１５０ｂが一対の雌第２基板１７２ｂ上の雌送電アンテナ１４０ｂに各々接続される。その後、第１、第２外部接続部を用意する。第１、第２外部接続部の先端部を雌第３基板１７３ｂに各々接続する。
【００９１】
その後、雌第１基板１７１ｂ、一対の雌第２基板１７２ｂ、雌第３基板１７３ｂ、第１、第２接続部及び第１、第２外部接続部の後端部以外の部分を図示しない金型のキャビティ内に入れる。このとき、雌第１基板１７１ｂが金型のキャビティ内の略直方体の凸部の先端面に対して略平行となり且つ雌通信アンテナ１２１ｂ、１２２ｂが当該先端面の近傍に配置されるように、当該雌第１基板１７１ｂが金型のキャビティ内で位置固定される。一方の雌送電アンテナ１４０ｂが金型の凸部の上面の近傍に位置するように、一方の雌第２基板１７２ｂが金型のキャビティ内で位置固定される。他方の雌送電アンテナ１４０ｂが金型の凸部の下面の近傍に位置するように、他方の雌第２基板１７２ｂが金型のキャビティ内で位置固定される。雌第３基板１７３ｂが他方の雌第２基板１７２ｂの下側に位置するように金型のキャビティ内で位置固定される。
【００９２】
その後、金型のキャビティ内に絶縁樹脂を射出し、充填させる。その後、絶縁樹脂を硬化させる。硬化した絶縁樹脂が雌ボディ１１０ｂとして成形される。金型の凸部が雌ボディ１１０ｂの接続孔１１１ｂとなる。このとき、雌第１基板１７１ｂ、雌通信アンテナ１２１ｂ、１２２ｂ及び通信回路１３１ｂ、１３２ｂが雌ボディ１１０ｂの内部にインサート成形によって埋め込まれる。これにより、雌第１基板１７１ｂが雌ボディ１１０ｂ内の接続孔１１１ｂの奥側の内面１１２ｂに対して略平行となる。雌通信アンテナ１２１ｂ、１２２ｂが雌ボディ１１０ｂの内部の奥側の内面１１２ｂの近傍に配置される。一方の雌第２基板１７２ｂ及び一方の雌送電アンテナ１４０ｂが雌ボディ１１０ｂの内部にインサート成形によって埋め込まれる。これにより、一方の雌送電アンテナ１４０ｂが雌ボディ１１０ｂの内部の接続孔１１１ｂの上側の内面１１２ｂの近傍に配置される。他方の雌第２基板１７２ｂ及び他方の雌送電アンテナ１４０ｂが雌ボディ１１０ｂの内部にインサート成形によって埋め込まれる。これにより、他方の雌送電アンテナ１４０ｂが雌ボディ１１０ｂの内部の接続孔１１１ｂの下側の内面１１２ｂの近傍に配置される。雌第３基板１７３ｂ、送電回路１５０ｂ及び制御部１６０ｂが雌ボディ１１０ｂの内部にインサート成形によって埋め込まれる。これにより、雌第３基板１７３ｂが他方の雌第２基板１７２ｂの下側に配置される。以上のとおり、雌コネクタ１００ｂが製造される。
【００９３】
本発明の実施例１に係る接続構造１００は、上記雄コネクタ１００ａと、上記雌コネクタ１００ｂとを備えている。図５に示すように、雄コネクタ１００ａを雌コネクタ１００ｂに接続させると、雄コネクタ１００ａが雌コネクタ１００ｂの接続孔１１１ｂに嵌合し、雄コネクタ１００ａが雌コネクタ１００ｂの接続孔１１１ｂ内で位置固定される。すると、上記のとおり、雄コネクタ１００ａの外面１１１ａが雌コネクタ１００ｂの接続孔１１１ｂの内面１１２ｂに対して各々略平行に対向する。前側の外面１１１ａの近傍に位置する雄通信アンテナ１２１ａと奥側の内面１１２ｂの近傍に位置する雌通信アンテナ１２１ｂとが無線通信可能な範囲に配置される。前側の外面１１１ａの近傍に位置する雄通信アンテナ１２２ａと奥側の内面１１２ｂの近傍に位置する雌通信アンテナ１２２ｂとが無線通信可能な範囲に配置される。上側の外面１１１ａの近傍に位置する一方の雄受電アンテナ１４０ａと上側の内面１１２ｂの近傍に位置する一方の雌送電アンテナ１４０ｂとが無線電力伝送可能な範囲に配置される。下側の外面１１１ａの近傍に位置する他方の雄受電アンテナ１４０ａと下側の内面１１２ｂの近傍に位置する他方の雌送電アンテナ１４０ｂとが無線電力伝送可能な範囲に配置される。このように雄コネクタ１００ａが雌コネクタ１００ｂに接続される。
【００９４】
以上のような接続構造１００は以下の技術的特徴を有している。第１に、雄コネクタ１００ａ及び雌コネクタ１００ｂは長期間の使用に適している。なぜなら、雄通信アンテナ１２１ａ、１２２ａ、通信回路１３１ａ、１３２ａ、雄受電アンテナ１４０ａ、受電回路１５０ａ、制御部１６０ａ、雄第１基板１７１ａ、雄第２基板１７２ａ及び雄第３基板１７３ａが雄ボディ１１０ａの内部にインサート成形によって埋め込まれており、雌通信アンテナ１２１ｂ、１２２ｂ、通信回路１３１ｂ、１３２ｂ、雌送電アンテナ１４０ｂ、送電回路１５０ｂ、制御部１６０ｂ、雌第１基板１７１ｂ、雌第２基板１７２ｂ及び雌第３基板１７３ｂが雌ボディ１１０ｂの内部にインサート成形によって埋め込まれているからである。
【００９５】
第２に、水（湿気を含む。）、塵、埃、汚染物質及び／又は腐食物質が雄コネクタ１００ａ及び雌コネクタ１００ｂに付着したとしても、雄通信アンテナ１２１ａ、１２２ａ及び雌通信アンテナ１２１ｂ、１２２ｂの通信特性が劣化するのを防止することができ、且つ雄受電アンテナ１４０ａ及び雌送電アンテナ１４０ｂの電力伝送特性が劣化するのを防止することができる。雄通信アンテナ１２１ａ、１２２ａ及び雄受電アンテナ１４０ａが雄ボディ１１０ａの内部にインサート成形によって埋め込まれ、雄ボディ１１０ａの外部に露出しておらず、且つ雌通信アンテナ１２１ｂ、１２２ｂ及び雌送電アンテナ１４０ｂが雌ボディ１１０ｂの内部にインサート成形によって埋め込まれ、雌ボディ１１０ｂの外部に露出していない。このため、雄通信アンテナ１２１ａ、１２２ａ、雄受電アンテナ１４０ａ、雌通信アンテナ１２１ｂ、１２２ｂ及び雌送電アンテナ１４０ｂが劣化したり腐食したりすることがない。
【００９６】
第３に、雄コネクタ１００ａの雄通信アンテナ１２１ａ、１２２ａと雌コネクタ１００ｂの雌通信アンテナ１２１ｂ、１２２ｂとの通信特性、雄コネクタ１００ａの一方の雄受電アンテナ１４０ａと雌コネクタ１００ｂの一方の雌送電アンテナ１４０ｂとの電力伝送特性、及び、雄コネクタ１００ａの他方の雄受電アンテナ１４０ａと雌コネクタ１００ｂの他方の雌送電アンテナ１４０ｂとの電力伝送特性を向上させることができる。その理由は以下の通りである。雄通信アンテナ１２１ａ、１２２ａと、一方の雄受電アンテナ１４０ａと、他方の雄受電アンテナ１４０ａとが雄ボディ１１０ａの異なる外面１１１ａの近傍に位置するように、雄ボディ１１０ａの内部に埋め込まれている。雌通信アンテナ１２１ｂ、１２２ｂと、一方の雌送電アンテナ１４０ｂと、他方の雌送電アンテナ１４０ｂとが雌ボディ１１０ｂの接続孔１１１ｂの異なる内面１１２ｂの近傍に位置するように、雌ボディ１１０ｂの内部に埋め込まれている。このため、雄通信アンテナ１２１ａ及び／又は雄通信アンテナ１２２ａのノイズ等が、雌通信アンテナ１２１ｂ、雌通信アンテナ１２２ｂ、雄受電アンテナ１４０ａ及び／又は雌送電アンテナ１４０ｂに干渉したり、雌通信アンテナ１２１ｂ及び／又は雌通信アンテナ１２２ｂのノイズ等が、雄通信アンテナ１２１ａ、雄通信アンテナ１２２ａ、雄受電アンテナ１４０ａ及び／又は雌送電アンテナ１４０ｂに干渉したり、雄受電アンテナ１４０ａのノイズ等が雄通信アンテナ１２１ａ、雄通信アンテナ１２２ａ、雌通信アンテナ１２１ｂ、雌通信アンテナ１２２ｂ及び／又は雌送電アンテナ１４０ｂに干渉したり、雌送電アンテナ１４０ｂのノイズ等が雄通信アンテナ１２１ａ、雄通信アンテナ１２２ａ、雌通信アンテナ１２１ｂ、雌通信アンテナ１２２ｂ及び／又は雄受電アンテナ１４０ａに干渉したりするのを抑制することができるからである。更に、各アンテナがボディの収容空間内に配置される場合、ボディの肉厚（収容空間の内壁からボディの外面までの距離）が大きくなる。一方、雄コネクタ１００ａは、雄通信アンテナ１２１ａ、１２２ａと、一方の雄受電アンテナ１４０ａと、他方の雄受電アンテナ１４０ａとが雄ボディ１１０ａの内部に埋め込まれ、雄ボディ１１０ａの異なる外面１１１ａの近傍に位置しているので、各アンテナから当該アンテナの近傍の外面１１１ａまでの距離が小さくなる。雌コネクタ１００ｂは、雌通信アンテナ１２１ｂ、１２２ｂと、一方の雌送電アンテナ１４０ｂと、他方の雌送電アンテナ１４０ｂとが雌ボディ１１０ｂの内部に埋め込まれ、雌ボディ１１０ｂの接続孔１１１ｂの異なる内面１１２ｂの近傍に位置しているので、各アンテナから当該アンテナの近傍の内面１１２ｂまでの距離が小さくなる。よって、上記接続状態で、雄コネクタ１００ａの各アンテナと、雌コネクタ１００ｂの各アンテナとの距離が近くなる（例えば、約4ｍｍ）。このため、雄通信アンテナ１２１ａ、１２２ａと雌通信アンテナ１２１ｂ、１２２ｂとのSignal Integrityが向上し、且つ雄受電アンテナ１４０ａと雌送電アンテナ１４０ｂとの給電効率が向上する。この給電効率の向上により、雄受電アンテナ１４０ａ、受電回路１５０ａ、雌送電アンテナ１４０ｂ及び送電回���１５０ｂからの発熱を抑制することもできる。
【００９７】
第４に、雄通信アンテナ１２１ａ、１２２ａと雌通信アンテナ１２１ｂ、１２２ｂとが無線通信不能となる可能性を低減することができる。上記接続状態で、雌通信アンテナ１２１ｂと雄コネクタ１００ａの雄通信アンテナ１２１ａとが、雌通信アンテナ１２２ｂと雄コネクタ１００ａの雄通信アンテナ１２２ａとが無線通信可能な範囲に配置されるからである。特に、雄通信アンテナ１２１ａ、１２２ａと雌通信アンテナ１２１ｂ、１２２ｂとの通信可能な範囲が数ｃｍ程度と近距離である場合、雄通信アンテナ１２１ａ、１２２ａと雌通信アンテナ１２１ｂ、１２２ｂとの位置がずれると、無線通信不能となる危険性がある。しかし、本接続構造１００は、雄コネクタ１００ａを雌コネクタ１００ｂの接続孔１１１ｂ内に挿入し位置固定させるだけで、雄通信アンテナ１２１ａ、１２２ａと雌通信アンテナ１２１ｂ、１２２ｂとが無線通信可能な範囲に配置させることができるので、前記危険性を回避することができる。
【００９８】
第５に、雄受電アンテナ１４０ａと雌送電アンテナ１４０ｂとが無線電力伝送不能となる可能性を低減することができる。上記接続状態で、雄受電アンテナ１４０ａと雌送電アンテナ１４０ｂとが、雌送電アンテナ１４０ｂから雄受電アンテナ１４０ａに無線電力伝送可能な範囲に配置されるからである。特に、電磁誘導方式等のように、雄受電アンテナ１４０ａと雌送電アンテナ１４０ｂとの電力伝送可能な距離が近い場合、雄受電アンテナ１４０ａと雌送電アンテナ１４０ｂとの位置がずれると、無線電力伝送不能となる危険性がある。しかし、本接続構造は、雄コネクタ１００ａを雌コネクタ１００ｂの接続孔１１１ｂ内に挿入し位置固定させるだけで、雄受電アンテナ１４０ａと雌送電アンテナ１４０ｂとが無線電力伝送不能な範囲に配置させることができるので、前記危険性を回避することができる。
【実施例２】
【００９９】
以下、本発明の実施例２に係る雄コネクタ１００ａ’について図６Ａを参照しつつ説明する。雄コネクタ１００ａ’は、次の相違点を除いて実施例１の雄コネクタ１００ａと同じ構成である。第１相違点は、雄ボディ１１０ａ’の形状が実施例１の雄ボディ１１０ａの形状と相違していることである。第２相違点は、雄第１基板１７１ａ、一対の雄第２基板１７２ａ及び雄第３基板１７３ａの雄ボディ１１０ａ’に対する埋め込み位置が、実施例１の雄第１基板１７１ａ、雄第２基板１７２ａ及び雄第３基板１７３ａの雄ボディ１１０ａに対する埋め込み位置と相違していることである。以下、これらの相違点について詳しく説明し、重複する説明は省略する。なお、図６Ａに示すＹ−Ｙ’方向は、雄コネクタ１００ａ’の長手方向及び雄コネクタ１００ａ’の後述する挿脱方向に相当する。図６Ａに示すＺ−Ｚ’方向は、雄コネクタ１００ａ’の高さ方向に相当する。
【０１００】
雄ボディ１１０ａ’は、図６Ａに示すように、第１ボディ１１１ａ’及び第２ボディ１１２ａ’を有している。第１ボディ１１１ａ’は、絶縁樹脂製の多面体（本実施例２では、六面体（直方体））である。第２ボディ１１２ａ’は、第１ボディ１１１ａ’に連接された絶縁樹脂製の多面体（本実施例２では、六面体（直方体））である。第２ボディ１１２ａ’の外形は、第１ボディ１１１ａ’の外形よりも大きい。第１、第２ボディ１１１ａ’、１１２ａ’は透光性を有していない（不透明である）。第１ボディ１１１ａ’は、複
数の外面１１１ａ１’（前側（Ｙ方向側）の外面１１１ａ１’、上側（Ｚ方向側）の外面１１１ａ１’、下側（Ｚ’方向側）の外面１１１ａ１’、図示しない一対の短手方向の外面）を有している。第２ボディ１１２ａ’は、複数の外面１１２ａ１’（上側（Ｚ方向側）の外面１１２ａ１’、下側（Ｚ’方向側）の外面１１２ａ１’、図示しない一対の短手方向の外面）を有している。外面１１１ａ１’、１１２ａ１’が特許請求の範囲の雄ボディの互いに重複しない外面エリアに相当する。
【０１０１】
雄第１基板１７１ａは、雄通信アンテナ１２１ａ、１２２ａが雄ボディ１１０ａ’の第１ボディ１１１ａ’の内部の上側の外面１１１ａ１’の近傍（例えば、雄通信アンテナ１２１ａ、１２２ａが外面１１１ａ１’から数ｍｍ〜数十ｍｍの距離）に位置するように、第１ボディ１１１ａ’の内部に埋め込まれている。換言すると、雄第１基板１７１ａは第１ボディ１１１ａ’の内部における雄通信アンテナ１２１ａ、１２２ａよりも上側の外面１１１ａ１’から遠い部分に埋め込まれている（覆われている）。雄通信アンテナ１２１ａ、１２２ａは第１ボディ１１１ａ’の内部における雄第１基板１７１ａよりも上側の外面１１１ａ１’の近傍部分に埋め込まれている（覆われている）。雄第１基板１７１ａは、上側の外面１１１ａ１’に対して略平行である。雄第３基板１７３ａは、雄ボディ１１０ａ’の第１ボディ１１１ａ’内の雄第１基板１７１ａの下側（Ｚ’方向側）に位置するように、第１ボディ１１１ａ’の内部に埋め込まれている（覆われている）。
【０１０２】
一方の雄第２基板１７２ａは、一方の雄受電アンテナ１４０ａが雄ボディ１１０ａ’の第２ボディ１１２ａ’内の上側の外面１１２ａ１’の近傍に位置するように、第２ボディ１１２ａ’の内部に埋め込まれている。換言すると、一方の雄第２基板１７２ａは第２ボディ１１２ａ’の内部における一方の雄受電アンテナ１４０ａよりも上側の外面１１２ａ１’から遠い部分に埋め込まれている（覆われている）。一方の雄受電アンテナ１４０ａは第２ボディ１１２ａ’の内部における一方の雄第２基板１７２ａよりも上側の外面１１２ａ１’の近傍部分に埋め込まれている（覆われている）。一方の雄第２基板１７２ａは、上側の外面１１１ａに対して略平行であっても良いし、傾斜していても良いし、直角であっても良い。他方の雄第２基板１７２ａは、他方の雄受電アンテナ１４０ａが第２ボディ１１２ａ’内の下側の外面１１２ａ１’の近傍に位置するように、第２ボディ１１２ａ’の内部に埋め込まれている。換言すると、他方の雄第２基板１７２ａは第２ボディ１１２ａ’の内部における雄受電アンテナ１４０ａよりも下側の外面１１２ａ１’から遠い部分に埋め込まれている（覆われている）。他方の雄受電アンテナ１４０ａは第２ボディ１１２ａ’の内部における他方の雄第２基板１７２ａよりも下側の外面１１２ａ１’の近傍部分に埋め込まれている（覆われている）。他方の雄第２基板１７２ａは、下側の外面１１２ａ１’に対して略平行であっても良いし、傾斜していても良いし、直角であっても良い。
【０１０３】
以下、上述した雄コネクタ１００ａ’の製造方法について詳しく説明する。この製造方法は、雄第１基板１７１ａ、一対の雄第２基板１７２ａ及び雄第３基板１７３ａを用意する工程から、雄第１基板１７１ａ、一対の雄第２基板１７２ａ、雄第３基板１７３ａ、第１、第２接続部及びケーブルの一端部を図示しない金型のキャビティ内に入れるまでの工程が、実施例１の雄コネクタ１００ａの製造方法と同じである。この金型のキャビティは、第１ボディ１１１ａ’に対応した第１キャビティと、第２ボディ１１２ａ’に対応した第２キャビティとを有している。
【０１０４】
雄第１基板１７１ａ、一対の雄第２基板１７２ａ、雄第３基板１７３ａ、第１、第２接続部及びケーブルの一端部が図示しない金型のキャビティ内に入れられると、雄第１基板１７１ａが金型の第１キャビティの上側の内面に対して略平行となり且つ雄通信アンテナ１２１ａ、１２２ａが当該内面の近傍に配置されるように、当該雄第１基板１７１ａが金型の第１キャビティ内で位置固定される。雄第３基板１７３ａが雄第１基板１７１ａの下
側に位置するように金型の第１キャビティ内で位置固定される。一方の雄受電アンテナ１４０ａが金型の第２キャビティの上側の内面の近傍に位置するように、一方の雄第２基板１７２ａが金型の第２キャビティ内で位置固定される。他方の雄受電アンテナ１４０ａが金型の第２キャビティの下側の内面の近傍に位置するように、他方の雄第２基板１７２ａが金型の第２キャビティ内で位置固定される。
【０１０５】
その後、金型のキャビティ内に絶縁樹脂を射出し、充填させる。その後、絶縁樹脂を硬化させる。硬化した第１キャビティ内の絶縁樹脂が雄ボディ１１０ａ’の第１ボディ１１１ａ’として成形され、硬化した第２キャビティ内の絶縁樹脂が雄ボディ１１０ａ’の第２ボディ１１２ａ’として成形される。このとき、雄第１基板１７１ａ、雄通信アンテナ１２１ａ、１２２ａ及び通信回路１３１ａ、１３２ａが雄ボディ１１０ａ’の第１ボディ１１１ａ’の内部にインサート成形によって埋め込まれる。これにより、雄第１基板１７１ａが第１ボディ１１１ａ’内の上側の外面１１１ａ１’に対して略平行となる。雄通信アンテナ１２１ａ、１２２ａが雄ボディ１１０ａ’の第１ボディ１１１ａ’の内部の上側の外面１１１ａ１’の近傍に配置される。雄第３基板１７３ａ、受電回路１５０ａ及び制御部１６０ａが第１ボディ１１１ａ’の内部にインサート成形によって埋め込まれる。これにより、雄第３基板１７３ａが雄第１基板１７１ａの下側に配置される。一方の雄第２基板１７２ａ及び一方の雄受電アンテナ１４０ａが雄ボディ１１０ａ’の第２ボディ１１２ａ’の内部にインサート成形によって埋め込まれる。これにより、一方の雄受電アンテナ１４０ａが第２ボディ１１２ａ’の内部の上側の外面１１２ａ１’の近傍に配置される。他方の雄第２基板１７２ａ及び他方の雄受電アンテナ１４０ａが第２ボディ１１２ａ’の内部にインサート成形によって埋め込まれる。これにより、他方の雄受電アンテナ１４０ａが第２ボディ１１２ａ’の内部の下側の外面１１２ａ１’の近傍に配置される。以上のとおり、雄コネクタ１００ａ’が製造される。
【０１０６】
以下、本発明の実施例２に係る雌コネクタ１００ｂ’について図６Ｂを参照しつつ説明する。雌コネクタ１００ｂ’は雄コネクタ１００ａ’と接続可能である。雌コネクタ１００ｂ’は、次の相違点を除いて実施例１の雌コネクタ１００ｂと同じ構成である。第１相違点は、雌ボディ１１０ｂ’の接続孔１１１ｂ’の形状が実施例１の雌ボディ１１０ｂの接続孔１１１ｂの形状と相違していることである。第２相違点は、雌第１基板１７１ｂ、一対の雌第２基板１７２ｂ及び雌第３基板１７３ｂの雌ボディ１１０ｂ’に対する埋め込み位置が、実施例１の雌第１基板１７１ｂ、一対の雌第２基板１７２ｂ及び雌第３基板１７３ｂの雌ボディ１１０ｂに対する埋め込み位置と相違していることである。以下、これらの相違点について詳しく説明し、重複する説明は省略する。なお、図６Ｂに示すＹ−Ｙ’方向は、雌ボディ１１０ｂ’の長手方向及び雄コネクタ１００ａの挿脱方向に相当する。図６Ｂに示すＺ−Ｚ’方向は、雌ボディ１１０ｂ’の高さ方向に相当する。
【０１０７】
雌ボディ１１０ｂ’の接続孔１１１ｂ’は、雄コネクタ１００ａの外形に対応し且つＹ’方向に開口した有底の孔である。接続孔１１１ｂ’に雄コネクタ１００ａ’がＹ−Ｙ’方向に挿脱可能である。接続孔１１１ｂ’は、第１接続孔１１１ｂ１’と、第１接続孔１１１ｂ１’に連通した第２接続孔１１１ｂ２’とを有している。第１接続孔１１１ｂ１’は、雄コネクタ１００ａ’の第１ボディ１１１ａ’の外形に対応した六面体（直方体）状）の孔である。第２接続孔１１１ｂ２’は、雄コネクタ１００ａ’の第２ボディ１１２ａ’の外形に対応した六面体（直方体）状）の孔である。第２接続孔１１１ｂ２’の形は、第１接続孔１１１ｂ１’の外形よりも大きい。第１接続孔１１１ｂ１’に第１ボディ１１１ａ’が嵌合し且つ第２接続孔１１１ｂ２’に第２ボディ１１２ａ’が嵌合することによって、当該雄コネクタ１００ａ’が接続孔１１１ｂ’内で位置固定されるようになっている。雌ボディ１１０ｂ’は、第１接続孔１１１ｂ１’の複数の内面１１２ｂ１’（奥側（Ｙ方向側）の内面１１２ｂ１’、上側（Ｚ方向側）の内面１１２ｂ１’、下側（Ｚ’方向側）の内面１１２ｂ１’、一方の短手方向の内面１１２ｂ１’、図示しない他方の短手方向の内面）と、第２接続孔１１１ｂ２’の複数の内面１１２ｂ２’（上側（Ｚ方向側）の内面１１２ｂ２’、下側（Ｚ’方向側）の内面１１２ｂ２’、一方の短手方向の内面１１２ｂ２’、図示しない他方の短手方向の内面）とを有している。内面１１２ｂ１’、１１２ｂ２’が特許請求の範囲の雌ボディの接続孔の互いに重複しない内面エリアに相当する。
【０１０８】
雄コネクタ１００ａ’が雌コネクタ１００ｂ’の第１、第２接続孔１１１ｂ１’、１１１ｂ２’に嵌合し位置固定された状態（以下、この状態を接続状態と称する。）で、第１接続孔１１１ｂ１’の奥側の内面１１２ｂ１’が雄コネクタ１００ａ’の第１ボディ１１１ａ’の前側の外面１１１ａ１’に対して略平行に、第１接続孔１１１ｂ１’の上側の内面１１２ｂ１’が第１ボディ１１１ａ’の上側の外面１１１ａ１’に対して略平行に、第１接続孔１１１ｂ１’の下側の内面１１２ｂ１’が第１ボディ１１１ａ’の下側の外面１１１ａ１’に対して略平行に、第１接続孔１１１ｂ１’の短手方向の内面１１２ｂ１’が第１ボディ１１１ａ’の短手方向の外面１１１ａ１’に対して略平行に対向可能であり、且つ、第２接続孔１１１ｂ２’の上側の内面１１２ｂ２’が雄コネクタ１００ａ’の第２ボディ１１２ａ’の上側の外面１１２ａ１’に対して略平行に、第２接続孔１１１ｂ２’の下側の内面１１２ｂ２’が第２ボディ１１２ａ’の下側の外面１１２ａ１’に対して略平行に、第２接続孔１１１ｂ２’の短手方向の内面１１２ｂ２’が第２ボディ１１２ａ’の短手方向の外面１１２ａ１’に対して略平行に対向可能である。
【０１０９】
雌第１基板１７１ｂは、雌通信アンテナ１２１ｂ、１２２ｂが雌ボディ１１０ｂ’内の第１接続孔１１１ｂ１’の上側の内面１１２ｂ１’の近傍（例えば、雌通信アンテナ１２１ｂ、１２２ｂが内面１１２ｂ１’から数ｍｍ〜数十ｍｍの距離）に位置するように、雌ボディ１１０ｂ’の内部に埋め込まれている。換言すると、雌第１基板１７１ｂは雌ボディ１１０ｂ’の内部における雌通信アンテナ１２１ｂ、１２２ｂよりも上側の内面１１２ｂ１’から遠い部分に埋め込まれている（覆われている）。雌通信アンテナ１２１ｂ、１２２ｂは雌ボディ１１０ｂ’の内部における雌第１基板１７１ｂよりも上側の内面１１２ｂ１’の近傍部分に埋め込まれている（覆われている）。雌第１基板１７１ｂは、上側の内面１１２ｂ１’に対して略平行である。
【０１１０】
一方の雌第２基板１７２ｂは、一方の雌送電アンテナ１４０ｂが雌ボディ１１０ｂ’内の第２接続孔１１１ｂ２’の上側の内面１１２ｂ２’の近傍に位置するように、雌ボディ１１０ｂ’の内部に埋め込まれている。換言すると、一方の雌第２基板１７２ｂは雌ボディ１１０ｂ’の内部における一方の雌送電アンテナ１４０ｂよりも上側の内面１１２ｂ２’から遠い部分に埋め込まれている（覆われている）。一方の雌送電アンテナ１４０ｂは雌ボディ１１０ｂ’の内部における一方の雌第２基板１７２ｂよりも上側の内面１１２ｂ２’の近傍部分に埋め込まれている（覆われている）。一方の雌第２基板１７２ｂは、上側の内面１１２ｂ２’に対して略平行であっても良いし、傾斜していても良いし、直角であっても良い。他方の雌第２基板１７２ｂは、他方の雌送電アンテナ１４０ｂが雌ボディ１１０ｂ’内の第２接続孔１１１ｂ２’の下側の内面１１２ｂ２’の近傍に位置するように、雌ボディ１１０ｂ’の内部に埋め込まれている。換言すると、他方の雌第２基板１７２ｂは雌ボディ１１０ｂ’の内部における他方の雌送電アンテナ１４０ｂよりも下側の内面１１２ｂ２’から遠い部分に埋め込まれている（覆われている）。他方の雌送電アンテナ１４０ｂは雌ボディ１１０ｂ’の内部における他方の雌第２基板１７２ｂよりも下側の内面１１２ｂ２’の近傍部分に埋め込まれている（覆われている）。他方の雌第２基板１７２ｂは、下側の内面１１２ｂ２’に対して略平行であっても良いし、傾斜していても良いし、直角であっても良い。
【０１１１】
雌第３基板１７３ｂは、雌ボディ１１０ｂ’内の一方の雌第２基板１７２ｂ’の上側（Ｚ方向側）に位置するように、雌ボディ１１０ｂ’の内部に埋め込まれている（覆われて
いる）。
【０１１２】
以下、上述した雌コネクタ１００ｂ’の製造方法について詳しく説明する。この製造方法は、雌第１基板１７１ｂ、一対の雌第２基板１７２ｂ及び雌第３基板１７３ｂを用意する工程から、雌第１基板１７１ｂ、一対の雌第２基板１７２ｂ、雌第３基板１７３ｂ、第１、第２接続部及び第１、第２外部接続部の後端部以外の部分を図示しない金型のキャビティ内に入れるまでの工程が、実施例１の雌コネクタ１００ｂの製造方法と同じである。この金型のキャビティ内には、第１接続孔１１１ｂ１’の形に対応した第１凸部と、第２接続孔１１１ｂ２’の形に対応した第２凸部とを有している。
【０１１３】
雌第１基板１７１ｂ、一対の雌第２基板１７２ｂ、雌第３基板１７３ｂ、第１、第２接続部及び第１、第２外部接続部の後端部以外の部分が金型のキャビティ内に入れると、雌第１基板１７１ｂが金型の第１凸部の上面に対して略平行となり且つ雌通信アンテナ１２１ｂ、１２２ｂが当該上面の近傍に配置されるように、当該雌第１基板１７１ｂが金型のキャビティ内で位置固定される。一方の雌送電アンテナ１４０ｂが金型の第２凸部の上面の近傍に位置するように、一方の雌第２基板１７２ｂが金型のキャビティ内で位置固定される。他方の雌送電アンテナ１４０ｂが金型の第２凸部の下面の近傍に位置するように、他方の雌第２基板１７２ｂが金型のキャビティ内で位置固定される。雌第３基板１７３ｂが一方の雌第２基板１７２ｂの上側に位置するように金型のキャビティ内で位置固定される。
【０１１４】
その後、金型のキャビティ内に絶縁樹脂を射出し、充填させる。その後、絶縁樹脂を硬化させる。硬化した絶縁樹脂が雌ボディ１１０ｂ’として成形される。金型の第１凸部が雌ボディ１１０ｂ’の第１接続孔１１１ｂ１’となり、当該金型の第２凸部が雌ボディ１１０ｂ’の第２接続孔１１１ｂ２’となる。このとき、雌第１基板１７１ｂ、雌通信アンテナ１２１ｂ、１２２ｂ及び通信回路１３１ｂ、１３２ｂが雌ボディ１１０ｂ’の内部にインサート成形によって埋め込まれる。これにより、雌第１基板１７１ｂが雌ボディ１１０ｂ’内の第１接続孔１１１ｂ１’の上側の内面１１２ｂ１’に対して略平行となる。雌通信アンテナ１２１ｂ、１２２ｂが雌ボディ１１０ｂ’の内部の上側の内面１１２ｂ１’の近傍に配置される。一方の雌第２基板１７２ｂ及び一方の雌送電アンテナ１４０ｂが雌ボディ１１０ｂ’の内部にインサート成形によって埋め込まれる。これにより、一方の雌送電アンテナ１４０ｂが雌ボディ１１０ｂ’の内部の第２接続孔１１１ｂ２’の上側の内面１１２ｂ２’の近傍に配置される。他方の雌第２基板１７２ｂ及び他方の雌送電アンテナ１４０ｂが雌ボディ１１０ｂ’の内部にインサート成形によって埋め込まれる。これにより、他方の雌送電アンテナ１４０ｂが雌ボディ１１０ｂ’の内部の第２接続孔１１１ｂ２’の下側の内面１１２ｂ２’の近傍に配置される。雌第３基板１７３ｂ、送電回路１５０ｂ及び制御部１６０ｂが雌ボディ１１０ｂ’の内部にインサート成形によって埋め込まれる。これにより、雌第３基板１７３ｂが一方の雌第２基板１７２ｂの上側に配置される。以上のとおり、雌コネクタ１００ｂ’が製造される。
【０１１５】
本発明の実施例２に係る接続構造１００’は、上記雄コネクタ１００ａ’と、上記雌コネクタ１００ｂ’とを備えている。図７に示すように、雄コネクタ１００ａ’を雌コネクタ１００ｂ’に接続させると、雄コネクタ１００ａ’が雌コネクタ１００ｂ’の接続孔１１１ｂ’に嵌合し（第１、第２ボディ１１１ａ’、１１２ａ’が第１、第２接続孔１１１ｂ１’、１１１ｂ２’に各々嵌合し）、雄コネクタ１００ａ’が雌コネクタ１００ｂ’の接続孔１１１ｂ’内で位置固定される。すると、上述のとおり、雄コネクタ１００ａ’の第１ボディ１１１ａ’の外面１１１ａ１’が雌コネクタ１００ｂ’の第１接続孔１１１ｂ１’の内面１１２ｂ１’に対して各々略平行に対向し、雄コネクタ１００ａ’の第２ボディ１１２ａ’の外面１１２ａ１’が雌コネクタ１００ｂ’の第２接続孔１１１ｂ２’の内面１１２ｂ２’に対して各々略平行に対向する。上側の外面１１１ａ１’の近傍に位置す
る雄通信アンテナ１２１ａと上側の内面１１２ｂ１’の近傍に位置する雌通信アンテナ１２１ｂとが無線通信可能な範囲に配置される。上側の外面１１１ａ１’の近傍に位置する雄通信アンテナ１２２ａと上側の内面１１２ｂ１’の近傍に位置する雌通信アンテナ１２２ｂとが無線通信可能な範囲に配置される。上側の外面１１２ａ１’の近傍に位置する一方の雄受電アンテナ１４０ａと上側の内面１１２ｂ２’の近傍に位置する一方の雌送電アンテナ１４０ｂとが無線電力伝送可能な範囲に配置される。下側の外面１１２ａ１’の近傍に位置する他方の雄受電アンテナ１４０ａと下側の内面１１２ｂ２’の近傍に位置する他方の雌送電アンテナ１４０ｂとが無線電力伝送可能な範囲に配置される。このように雄コネクタ１００ａ’が雌コネクタ１００ｂ’に接続される。
【０１１６】
以上のような接続構造１００’は、実施例１の接続構造１００と同様の技術的特徴を有する。
【実施例３】
【０１１７】
以下、本発明の実施例３に係る雄コネクタ２００ａについて図８Ａを参照しつつ説明する。雄コネクタ２００ａは、雄ボディ２１０ａと、雄通信アンテナ２２１ａと、雄通信アンテナ２２２ａと、図示しない二つの通信回路と、二つの雄受電アンテナ２３０ａと、二つの受電回路２４０ａと、制御部２５０ａと、雄第１基板２６１ａと、二つの雄第２基板２６２ａと、雄第３基板２６３ａと、図示しないケーブルとを有している。以下、雄コネクタ２００ａの各構成要素について詳しく説明する。なお、図８Ａに示すＹ−Ｙ’方向は、雄コネクタ２００ａの半径方向の一つ及び雄コネクタ２００ａの挿脱方向に相当する。図８Ａに示すＺ−Ｚ’方向は、雄コネクタ２００ａの半径方向の一つに相当する。
【０１１８】
雄ボディ２１０ａは、図８Ａに示すように、絶縁樹脂製の球体である。雄ボディ２１０ａは透光性を有していない（不透明である）。雄ボディ２１０ａの球面状の外面２１１ａには、互いに重複しない複数の外面エリア２１２ａが設けられている。以下、説明の便宜上、図８Ａの図示中央の外面エリア２１２ａを中央の外面エリア２１２ａと、図示上側の外面エリア２１２ａを上側の外面エリア２１２ａと、図示下側の外面エリア２１２ａを下側の外面エリア２１２ａと称する。
【０１１９】
雄第１基板２６１ａは、図８Ａに示すように、フレキシブルプリント基板又はＰＥＴ基板等であって、雄ボディ２１０ａの外面２１１ａに沿って円弧状に湾曲している。雄第１基板２６１ａ上には、雄通信アンテナ２２１ａ、２２２ａが設けられ且つ二つの通信回路が実装されている。すなわち、雄通信アンテナ２２１ａ、２２２ａは雄第１基板２６１ａに電気的に接続されている。雄通信アンテナ２２１ａ、２２２ａは実施例１の雄通信アンテナ１２１ａ、１２２ａと同じものである。二つの通信回路は実施例１の通信回路１３１ａ、１３２ａと同じものである。
【０１２０】
雄第１基板２６１ａは、雄通信アンテナ２２１ａ、２２２ａが雄ボディ２１０ａの内部の中央の外面エリア２１２ａの近傍（例えば、雄通信アンテナ２２１ａ、２２２ａが外面エリア２１２ａから数ｍｍ〜数十ｍｍの距離）に位置するように、雄ボディ２１０ａの内部に埋め込まれている。換言すると、雄第１基板２６１ａは雄ボディ２１０ａの内部における雄通信アンテナ２２１ａ、２２２ａよりも中央の外面エリア２１２ａから遠い部分に埋め込まれている（覆われている）。雄通信アンテナ２２１ａ、２２２ａは雄ボディ２１０ａの内部における雄第１基板２６１ａよりも中央の外面エリア２１２ａの近傍部分に埋め込まれている（覆われている）。雄第１基板２６１ａは、中央の外面エリア２１２ａに対して略平行である。
【０１２１】
雄第２基板２６２ａは、フレキシブルプリント基板又はＰＥＴ基板等であって、雄ボディ２１０ａの外面２１１ａに沿って円弧状に湾曲している。雄第２基板２６２ａのうちの
一方上には雄受電アンテナ２３０ａのうちの一方が設けられており、雄第２基板２６２ａのうちの他方上には雄受電アンテナ２３０ａのうちの他方が設けられている。すなわち、一方の雄受電アンテナ２３０ａは一方の雄第２基板２６２ａに電気的に接続されている。他方の雄受電アンテナ２３０ａは他方の雄第２基板２６２ａに電気的に接続されている。雄受電アンテナ２３０ａは実施例１の雄受電アンテナ１４０ａと同じものである。
【０１２２】
一方の雄第２基板２６２ａは、一方の雄受電アンテナ２３０ａが雄ボディ２１０ａ内の上側の外面エリア２１２ａの近傍に位置するように、雄ボディ２１０ａの内部に埋め込まれている。換言すると、一方の雄第２基板２６２ａは雄ボディ２１０ａの内部における一方の雄受電アンテナ２３０ａよりも上側の外面エリア２１２ａから遠い部分に埋め込まれている（覆われている）。一方の雄受電アンテナ２３０ａは雄ボディ２１０ａの内部における一方の雄第２基板２６２ａよりも上側の外面エリア２１２ａの近傍部分に埋め込まれている（覆われている）。一方の雄第２基板２６２ａは、上側の外面エリア２１２ａに対して略平行であっても良いし、傾斜していても良いし、直角であっても良い。他方の雄第２基板２６２ａは、他方の雄受電アンテナ２３０ａが雄ボディ２１０ａ内の下側の外面エリア２１２ａの近傍に位置するように、雄ボディ２１０ａの内部に埋め込まれている。換言すると、他方の雄第２基板２６２ａは雄ボディ２１０ａの内部における他方の雄受電アンテナ２３０ａよりも下側の外面エリア２１２ａから遠い部分に埋め込まれている（覆われている）。他方の雄受電アンテナ２３０ａは雄ボディ２１０ａの内部における他方の雄第２基板２６２ａよりも下側の外面エリア２１２ａの近傍部分に埋め込まれている（覆われている）。他方の雄第２基板２６２ａは、下側の外面エリア２１２ａに対して略平行であっても良いし、傾斜していても良いし、直角であっても良い。
【０１２３】
雄第３基板２６３ａは、フレキシブルプリント基板又はＰＥＴ基板等である。雄第３基板２６３ａは、雄ボディ２１０ａ内の雄第１基板２６１ａよりも当該雄ボディ２１０ａの中心側に位置するように、雄ボディ２１０ａの内部に埋め込まれている（覆われている）。雄第３基板２６３ａは、雄第１基板２６１ａに図示しない第１接続部（例えば、ピン、リード線又はＦＰＣ等）によって接続されている。雄第３基板２６３ａは、一対の雄第２基板２６２ａに図示しない第２接続部（例えば、ピン、リード線又はＦＰＣ等）によって各々接続されている。
【０１２４】
受電回路２４０ａは実施例１の受電回路１５０ａと同じものである。受電回路２４０ａは雄第３基板２６３ａ上に実装され、雄第３基板２６３ａと共に雄ボディ２１０ａの内部に埋め込まれている（覆われている）。
【０１２５】
制御部２５０ａは実施例１の制御部１６０ａと同じものである。制御部２５０ａは雄第３基板２６３ａ上に実装され、雄第３基板２６３ａと共に雄ボディ２１０ａの内部に埋め込まれている（覆われている）。
【０１２６】
上記ケーブルは、実施例１のケーブルと同じものである。ケーブルの一端部から突出した通信線が雄第３基板２６３ａに接続されている。これにより、通信線が制御部２５０ａに各々接続されている。ケーブルの一端部から突出した電力線が雄第３基板２６３ａに接続されている。これにより、電力線が受電回路２４０ａに各々接続されている。ケーブルの一端部（突出した通信線及び電力線を含む。）は、雄ボディ２１０ａの内部に埋め込まれている。換言すると、ケーブルの一端部以外の部分が雄ボディ２１０ａからＹ’方向に引き出されている。
【０１２７】
以下、上述した雄コネクタ２００ａの製造方法について詳しく説明する。この製造方法は、雄第１基板２６１ａ、一対の雄第２基板２６２ａ及び雄第３基板２６３ａを用意する工程から、雄第１基板２６１ａ、一対の雄第２基板２６２ａ、雄第３基板２６３ａ、第１
、第２接続部及びケーブルの一端部を図示しない金型のキャビティ内に入れるまでの工程が、実施例１の雄コネクタ１００ａの製造方法と同じである。
【０１２８】
雄第１基板２６１ａ、一対の雄第２基板２６２ａ、雄第３基板２６３ａ、第１、第２接続部及びケーブルの一端部が図示しない金型のキャビティ内に入れられると、雄第１基板２６１ａが金型のキャビティの内面の上記中央の外面エリア２１２ａに対応するエリアに対して略平行となり且つ雄通信アンテナ２２１ａ、２２２ａが当該エリアの近傍に配置されるように、当該雄第１基板２６１ａが金型のキャビティ内で位置固定される。雄第３基板２６３ａが金型のキャビティ内の雄第１基板２６１ａよりも中心側に位置するように当該キャビティ内で位置固定される。一方の雄受電アンテナ２３０ａが金型のキャビティの内面の上側の外面エリア２１２ａに対応するエリアの近傍に位置するように、一方の雄第２基板２６２ａが金型のキャビティ内で位置固定される。他方の雄受電アンテナ２３０ａが金型の内面の下側の外面エリア２１２ａに対応するエリアの近傍に位置するように、他方の雄第２基板２６２ａが金型のキャビティ内で位置固定される。
【０１２９】
その後、金型のキャビティ内に絶縁樹脂を射出し、充填させる。その後、絶縁樹脂を硬化させる。硬化した絶縁樹脂が雄ボディ２１０ａとして成形される。このとき、雄第１基板２６１ａ、雄通信アンテナ２２１ａ、２２２ａ及び通信回路が雄ボディ２１０ａの内部にインサート成形によって埋め込まれる。これにより、雄第１基板２６１ａが雄ボディ２１０ａ内の中央の外面エリア２１２ａ１に対して略平行となる。雄通信アンテナ２２１ａ、２２２ａが雄ボディ２１０ａの内部の中央の外面エリア２１２ａ１の近傍に配置される。雄第３基板２６３ａ、受電回路２４０ａ及び制御部２５０ａが雄ボディ２１０ａの内部にインサート成形によって埋め込まれる。これにより、雄第３基板２６３ａが雄ボディ２１０ａの内部の雄第１基板２６１ａよりも中心側に配置される。一方の雄第２基板２６２ａ及び一方の雄受電アンテナ２３０ａが雄ボディ２１０ａの内部にインサート成形によって埋め込まれる。これにより、一方の雄受電アンテナ２３０ａが雄ボディ２１０ａの内部の上側の外面エリア２１２ａの近傍に配置される。他方の雄第２基板２６２ａ及び他方の雄受電アンテナ２３０ａが雄ボディ２１０ａの内部にインサート成形によって埋め込まれる。これにより、他方の雄受電アンテナ２３０ａが雄ボディ２１０ａの内部の下側の外面エリア２１２ａの近傍に配置される。以上のとおり、雄コネクタ２００ａが製造される。
【０１３０】
以下、本発明の実施例３に係る雌コネクタ２００ｂについて図８Ｂを参照しつつ説明する。雌コネクタ２００ｂは雄コネクタ２００ａと接続可能である。雌コネクタ２００ｂは、雌ボディ２１０ｂと、雌通信アンテナ２２１ｂと、雌通信アンテナ２２２ｂと、図示しない二つの通信回路と、二つの雌送電アンテナ２３０ｂと、二つの送電回路２４０ｂと、制御部２５０ｂと、雌第１基板２６１ｂと、二つの雌第２基板２６２ｂと、雌第３基板２６３ｂと、図示しない複数の第１外部接続部と、図示しない複数の第２外部接続部とを有している。以下、雌コネクタ２００ｂの各構成要素について詳しく説明する。なお、図８Ｂに示すＹ−Ｙ’方向は、雄コネクタ２００ａの挿脱方向に相当する。図８Ｂに示すＺ−Ｚ’方向は、雌コネクタ２００ｂの高さ方向に相当する。
【０１３１】
雌ボディ２１０ｂは、図８Ｂに示すように絶縁樹脂である。雌ボディ２１０ｂは透光性を有していない（不透明である）。雌ボディ２１０ｂには、接続孔２１１ｂが設けられている。接続孔２１１ｂは、雄コネクタ２００ａの外形に対応し且つＹ’方向に開口した半球状の孔である。接続孔２１１ｂに雄コネクタ２００ａがＹ−Ｙ’方向に挿脱可能である。接続孔２１１ｂに雄コネクタ２００ａが嵌合することによって、当該雄コネクタ２００ａが接続孔２１１ｂ内で位置固定されるようになっている。雌ボディ２１０ｂの接続孔２１１ｂの半球面状の内面２１２ｂには、互いに重複しない複数の内面エリア２１３ｂが設けられている。以下、説明の便宜上、図８Ａの図示中央の内面エリア２１３ｂを中央の内面エリア２１３ｂと、図示上側の内面エリア２１３ｂを上側の内面エリア２１３ｂと、図示下側の内面エリア２１３ｂを下側の内面エリア２１３ｂと称する。
【０１３２】
雄コネクタ２００ａが雌コネクタ２００ｂの接続孔２１１ｂに嵌合し位置固定された状態（以下、この状態を接続状態と称する。）で、中央の内面エリア２１３ｂが雄コネクタ２００ａの中央の外面エリア２１２ａに対して略平行に、上側の内面エリア２１３ｂが雄コネクタ２００ａの上側の外面エリア２１２ａに対して略平行に、下側の内面エリア２１３ｂが雄コネクタ２００ａの下側の外面エリア２１２ａに対して略平行に対向可能である。
【０１３３】
雌第１基板２６１ｂは、フレキシブルプリント基板又はＰＥＴ基板等であって、雌ボディ２１０ｂの接続孔２１１ｂの内面２１２ｂに沿って湾曲している。雌第１基板２６１ｂ上には、雌通信アンテナ２２１ｂ、２２２ｂが設けられ且つ二つの通信回路が実装されている。すなわち、雌通信アンテナ２２１ｂ、２２２ｂが雌第１基板２６１ｂに電気的に接続されている。雌通信アンテナ２２１ｂ、２２２ｂは、実施例１の雌通信アンテナ１２１ｂ、１２２ｂと同じものである。二つの通信回路は、実施例１の通信回路１３１ｂ、１３２ｂと同じものである。
【０１３４】
雌第１基板２６１ｂは、雌通信アンテナ２２１ｂ、２２２ｂが雌ボディ２１０ｂ内の接続孔２１１ｂの中央の内面エリア２１３ｂの近傍（例えば、雌通信アンテナ２２１ｂ、２２２ｂが内面エリア２１３ｂから数ｍｍ〜数十ｍｍの距離）に位置するように、雌ボディ２１０ｂの内部に埋め込まれている。換言すると、雌第１基板２６１ｂは雌ボディ２１０ｂの内部における雌通信アンテナ２２１ｂ、２２２ｂよりも中央の内面エリア２１３ｂから遠い部分に埋め込まれている（覆われている）。雌通信アンテナ２２１ｂ、２２２ｂは雌ボディ２１０ｂの内部における雌第１基板２６１ｂよりも中央の内面エリア２１３ｂの近傍部分に埋め込まれている（覆われている）。雌第１基板２６１ｂは、中央の内面エリア２１３ｂに対して略平行である。
【０１３５】
雌第２基板２６２ｂは、フレキシブルプリント基板又はＰＥＴ基板等であって、雌ボディ２１０ｂの接続孔２１１ｂの内面２１２ｂに沿って円弧状に湾曲している。雌第２基板２６２ｂ上のうちの一方上には雌送電アンテナ２３０ｂのうちの一方が設けられており、雌第２基板２６２ｂのうちの他方上には雌送電アンテナ２３０ｂのうちの他方が設けられている。すなわち、一方の雌送電アンテナ２３０ｂは一方の雌第２基板２６２ｂに電気的に接続されている。他方の雌送電アンテナ２３０ｂは他方の雌第２基板２６２ｂに電気的に接続されている。雌送電アンテナ２３０ｂは実施例１の雌送電アンテナ１４０ｂと同じものである。
【０１３６】
一方の雌第２基板２６２ｂは、一方の雌送電アンテナ２３０ｂが雌ボディ２１０ｂ内の上側の内面エリア２１３ｂの近傍に位置するように、雌ボディ２１０ｂの内部に埋め込まれている。換言すると、一方の雌第２基板２６２ｂは雌ボディ２１０ｂの内部における一方の雌送電アンテナ２３０ｂよりも上側の内面エリア２１３ｂから遠い部分に埋め込まれている（覆われている）。一方の雌送電アンテナ２３０ｂは雌ボディ２１０ｂの内部における一方の雌第２基板２６２ｂよりも上側の内面エリア２１３ｂの近傍部分に埋め込まれている（覆われている）。一方の雌第２基板２６２ｂは、上側の内面エリア２１３ｂに対して略平行であっても良いし、傾斜していても良いし、直角であっても良い。他方の雌第２基板２６２ｂは、他方の雌送電アンテナ２３０ｂが雌ボディ２１０ｂ内の下側の内面エリア２１３ｂの近傍に位置するように、雌ボディ２１０ｂの内部に埋め込まれている。換言すると、他方の雌第２基板２６２ｂは雌ボディ２１０ｂの内部における他方の雌送電アンテナ２３０ｂよりも下側の内面エリア２１３ｂから遠い部分に埋め込まれている（覆われている)。他方の雌送電アンテナ２３０ｂは雌ボディ２１０ｂの内部における他方の雌第２基板２６２ｂよりも下側の内面エリア２１３ｂの近傍部分に埋め込まれている（覆われている）。他方の雌第２基板２６２ｂは、下側の内面エリア２１３ｂに対して略平行であっても良いし、傾斜していても良いし、直角であっても良い。
【０１３７】
雌第３基板２６３ｂは、リジットなプリント基板、フレキシブルプリント基板又はＰＥＴ基板等である。雌第３基板２６３ｂは、雌ボディ２１０ｂ内の雌第１基板２６１ｂのＹ方向側に位置するように、雌ボディ２１０ｂの内部に埋め込まれている（覆われている）。雌第３基板２６３ｂは、雌第１基板２６１ｂと図示しない第１接続部（例えば、ピン、リード線又はＦＰＣ等）によって接続されている。雌第３基板２６３ｂは、一対の雌第２基板２６２ｂと図示しない第２接続部（例えば、ピン、リード線又はＦＰＣ等）によって各々接続されている。
【０１３８】
送電回路２４０ｂは実施例１の送電回路１５０ｂと同じものである。送電回路２４０ｂは、雌第３基板２６３ｂ上に実装され、雌第３基板２６３ｂと共に雌ボディ２１０ｂの内部に埋め込まれている（覆われている）。
【０１３９】
制御部２５０ｂは実施例１の制御部１６０ｂと同じものである。制御部２５０ｂは、雌第３基板２６３ｂに実装され、雌第３基板２６３ｂと共に雌ボディ２１０ｂの内部に埋め込まれている（覆われている）。
【０１４０】
上記第１外部接続部は実施例１の第１外部接続部と同じものである。上記第２外部接続部は実施例１の第２外部接続部と同じものである。
【０１４１】
以下、上述した雌コネクタ２００ｂの製造方法について詳しく説明する。この製造方法は、雌第１基板２６１ｂ、一対の雌第２基板２６２ｂ及び雌第３基板２６３ｂを用意する工程から、雌第１基板２６１ｂ、一対の雌第２基板２６２ｂ、雌第３基板２６３ｂ、第１、第２接続部及び第１、第２外部接続部の後端部以外の部分を図示しない金型のキャビティ内に入れるまでの工程が、実施例１の雌コネクタ２００ｂの製造方法と同じである。
【０１４２】
雌第１基板２６１ｂ、一対の雌第２基板２６２ｂ、雌第３基板２６３ｂ、第１、第２接続部及び第１、第２外部接続部の後端部以外の部分を図示しない金型のキャビティ内に入れると、雌第１基板２６１ｂが金型のキャビティ内の半球状の凸部の中央の外面エリア２１２ａに対応するエリアに対して略平行となり且つ雌通信アンテナ２２１ｂ、２２２ｂが当該エリアの近傍に配置されるように、当該雌第１基板２６１ｂが金型のキャビティ内で位置固定される。雌第３基板２６３ｂが雌第１基板２６１ｂのＹ方向側に位置するように金型のキャビティ内で位置固定される。一方の雌送電アンテナ２３０ｂが金型の凸部の上側の外面エリア２１２ａに対応するエリアの近傍に位置するように、一方の雌第２基板２６２ｂが金型のキャビティ内で位置固定される。他方の雌送電アンテナ２３０ｂが金型の凸部の下側の外面エリア２１２ａに対応するエリアの近傍に位置するように、他方の雌第２基板２６２ｂが金型のキャビティ内で位置固定される。
【０１４３】
その後、金型のキャビティ内に絶縁樹脂を射出し、充填させる。その後、絶縁樹脂を硬化させる。硬化した絶縁樹脂が雌ボディ２１０ｂとして成形される。金型の凸部が雌ボディ２１０ｂの接続孔２１１ｂとなる。このとき、雌第１基板２６１ｂ、雌通信アンテナ２２１ｂ、２２２ｂ及び通信回路１３１ｂ、１３２ｂが雌ボディ２１０ｂの内部にインサート成形によって埋め込まれる。これにより、雌第１基板２６１ｂが雌ボディ２１０ｂ内の接続孔２１１ｂの中央の内面エリア２１３ｂに対して略平行となる。雌通信アンテナ２２１ｂ、２２２ｂが雌ボディ２１０ｂの内部の中央の内面エリア２１３ｂの近傍に配置される。一方の雌第２基板２６２ｂ及び一方の雌送電アンテナ２３０ｂが雌ボディ２１０ｂの内部にインサート成形によって埋め込まれる。これにより、一方の雌送電アンテナ２３０
ｂが雌ボディ２１０ｂの内部の接続孔２１１ｂの上側の内面エリア２１３ｂの近傍に配置される。他方の雌第２基板２６２ｂ及び他方の雌送電アンテナ２３０ｂが雌ボディ２１０ｂの内部にインサート成形によって埋め込まれる。これにより、他方の雌送電アンテナ２３０ｂが雌ボディ２１０ｂの内部の接続孔２１１ｂの下側の内面エリア２１３ｂの近傍に配置される。雌第３基板２６３ｂ、送電回路２４０ｂ及び制御部２５０ｂが雌ボディ２１０ｂの内部にインサート成形によって埋め込まれる。これにより、雌第３基板２６３ｂが雌第１基板２６１ｂのＹ方向側に配置される。以上のとおり、雌コネクタ２００ｂが製造される。
【０１４４】
本発明の実施例３に係る接続構造２００は、上記雄コネクタ２００ａと、上記雌コネクタ２００ｂとを備えている。図９に示すように、雄コネクタ２００ａを雌コネクタ２００ｂに接続させると、雄コネクタ２００ａが雌コネクタ２００ｂの接続孔２１１ｂに嵌合し、雄コネクタ２００ａが雌コネクタ２００ｂの接続孔２１１ｂ内で位置固定される。すると、上述のとおり、雄コネクタ２００ａの外面エリア２１２ａが雌コネクタ２００ｂの接続孔２１１ｂの内面エリア２１３ｂに対して各々略平行に対向する。中央の外面エリア２１２ａの近傍に位置する雄通信アンテナ２２１ａと中央の内面エリア２１３ｂの近傍に位置する雌通信アンテナ２２１ｂとが無線通信可能な範囲に配置される。中央の外面エリア２１２ａの近傍に位置する雄通信アンテナ２２２ａと中央の内面エリア２１３ｂの近傍に位置する雌通信アンテナ２２２ｂとが無線通信可能な範囲に配置される。上側の外面エリア２１２ａの近傍に位置する一方の雄受電アンテナ２３０ａと上側の内面エリア２１３ｂの近傍に位置する一方の雌送電アンテナ２３０ｂとが無線電力伝送可能な範囲に配置される。下側の外面エリア２１２ａの近傍に位置する他方の雄受電アンテナ２３０ａと下側の内面エリア２１３ｂの近傍に位置する他方の雌送電アンテナ２３０ｂとが無線電力伝送可能な範囲に配置される。このように雄コネクタ２００ａが雌コネクタ２００ｂに接続される。
【０１４５】
以上のような接続構造２００は、実施例１の接続構造１００と同様の技術的特徴を有する。
【０１４６】
なお、上述した雄コネクタ、雌コネクタ及びこれらの接続構造は、上記実施例に限定されるものではなく、特許請求の範囲の記載範囲において任意に設計変更することが可能である。以下、詳しく述べる。
【０１４７】
本発明の雄コネクタは、雄ボディと、雄ボディ内に設けられた信号を無線通信可能な雄通信アンテナと、雄通信アンテナに電気的に接続された雄第１基板とを備えている限り任意に設計変更することが可能である。
【０１４８】
例えば、雄コネクタは、雄ボディと、複数の雄通信アンテナと、複数の雄第１基板を備えた構成とすることが可能である。この場合、雄通信アンテナの少なくとも一つが雄第１基板上に各々設けられている。雄第１基板は、当該雄第１基板上の雄通信アンテナが雄ボディの外面エリアの近傍に各々位置するように、雄ボディの内部にインサート成形によって各々埋め込まれている又は雄ボディの後述する収容空間内に収容されている。
【０１４９】
又は、雄コネクタは、雄ボディと、複数の雄通信アンテナと、複数の雄第１部を有する雄第１基板を備えた構成とすることが可能である。この場合、雄通信アンテナの少なくとも一つが雄第１部上に各々設けられている。雄第１部は、当該雄第１部上の雄通信アンテナが雄ボディの外面エリアの近傍に各々位置するように、雄ボディの内部にインサート成形によって各々埋め込まれている又は雄ボディの収容空間内に収容されている。具体的には、雄第１基板は、リジットフレキシブル基板、フレキシブルプリント基板又はＰＥＴ基板である。雄第１基板は折り曲げられたり湾曲させられたりした状態で、当該雄第１基
板の雄第１部は、当該雄第１部上の雄通信アンテナが雄ボディの外面エリアの近傍に各々位置するように、雄ボディの内部にインサート成形によって各々埋め込まれている又は雄ボディの収容空間内に収容されている。
【０１５０】
又は、雄コネクタは、雄ボディと、雄通信アンテナと、雄受電又は送電アンテナと、雄第１、第２部を有する雄第１基板を備えた構成とすることが可能である。雄通信アンテナが雄第１部上に設けられている。雄受電又は送電アンテナは、雄第２基板の代りに、雄第２部上に設けられている。雄第１部は、雄通信アンテナが雄ボディの外面エリアのうちの一つの近傍に位置するように、雄ボディの内部にインサート成形によって埋め込まれている又は雄ボディの収容空間内に収容されている。雄第２部は、雄受電又は送電アンテナと共に雄ボディの内部にインサート成形によって埋め込まれている又は雄ボディの収容空間内に収容されている。
【０１５１】
更に、雄第２部は、雄受電又は送電アンテナが雄通信アンテナの近傍の外面エリアと異なる外面エリアの近傍に位置するように、雄ボディの内部にインサート成形によって埋め込まれた又は雄ボディの収容空間内に収容された構成とすることが可能である。雄第１基板は、リジットフレキシブル基板、フレキシブルプリント基板又はＰＥＴ基板である。雄第１基板は折り曲げられたり湾曲させられたりした状態で、雄第１基板の雄第１部は、雄通信アンテナが雄ボディの外面エリアのうちの一つの近傍に位置するように、雄ボディの内部にインサート成形によって埋め込まれている又は雄ボディの収容空間内に収容されている。雄第１基板の雄第２部は、雄受電又は送電アンテナが雄通信アンテナの近傍の外面エリアと異なる外面エリアの近傍に位置するように、雄ボディの内部にインサート成形によって埋め込まれている又は雄ボディの収容空間内に収容されている。
【０１５２】
本発明の雄ボディは、当該雄ボディの内部に少なくとも雄通信アンテナが設けられている限り任意に設計変更することが可能である。例えば、雄ボディの内部に収容空間が設けられた構成とすることが可能である。この収容空間内に少なくとも雄通信アンテナが収容された構成とすると良い。この雄通信アンテナも雄ボディの外部に露出しない。上述した雄ボディ１１０ａ、１１０ａ’も、収容空間が設けられた構成とすることが可能である。当該収容空間に雄通信アンテナ１２１ａ、１２２ａ、通信回路１３１ａ、１３２ａ、雄受電アンテナ１４０ａ、受電回路１５０ａ、制御部１６０ａ、雄第１基板１７１ａ、雄第２基板１７２ａ及び雄第３基板１７３ａが収容された構成とすることが可能である。又は、雄通信アンテナ１２１ａ、１２２ａ及び雄受電アンテナ１４０ａの少なくとも一つが雄ボディ１１０ａ、１１０ａ’内に上記実施例の通りインサート成形により埋め込まれており、雄ボディ１１０ａ、１１０ａ’内の収容空間に、雄通信アンテナ１２１ａ、１２２ａ及び雄受電アンテナ１４０ａの残り、通信回路１３１ａ、１３２ａ、受電回路１５０ａ、制御部１６０ａ、雄第１基板１７１ａ、雄第２基板１７２ａ及び雄第３基板１７３ａが収容された構成とすることが可能である。この場合、雄ボディ１１０ａ、１１０ａ’内にインサートされるアンテナは、後述のコイルや端子とし、当該アンテナがリード線やＦＰＣ等の接続手段によって収容空間内の基板に接続されると良い。又は、雄通信アンテナ１２１ａ、１２２ａ、通信回路１３１ａ、１３２ａ及び雄第１基板１７１ａが雄ボディ１１０ａ、１１０ａ’内に上記実施例の通りインサート成形により埋め込まれており、雄ボディ１１０ａ、１１０ａ’内の収容空間に、雄受電アンテナ１４０ａ、受電回路１５０ａ、制御部１６０ａ、雄第２基板１７２ａ及び雄第３基板１７３ａが収容された構成とすることが可能である。この場合、雄通信アンテナ１２１ａ、１２２ａは導体であっても良いし、コイルや端子であっても良い。又は、雄受電アンテナ１４０ａ及び雄第２基板１７２ａが雄ボディ１１０ａ、１１０ａ’内に上記実施例の通りインサート成形により埋め込まれており、雄ボディ１１０ａ、１１０ａ’内の収容空間に、雄通信アンテナ１２１ａ、１２２ａ、通信回路１３１ａ、１３２ａ、雄第１基板１７１ａ、受電回路１５０ａ、制御部１６０ａ及び雄第３基板１７３ａが収容された構成とすることが可能である。この場合、雄受電アンテナ１４０ａは導体であっても良いし、コイルや端子であっても良い。又は、雄通信アンテナ１２１ａ、１２２ａ、通信回路１３１ａ、１３２ａ、雄第１基板１７１ａ、雄受電アンテナ１４０ａ及び雄第２基板１７２ａが上記実施例の通り雄ボディ１１０ａ、１１０ａ’内にインサート成形により埋め込まれており、雄ボディ１１０ａ、１１０ａ’内の収容空間に、受電回路１５０ａ、制御部１６０ａ、雄第２基板１７２ａ及び雄第３基板１７３ａが収容された構成とすることが可能である。この場合、雄通信アンテナ１２１ａ、１２２ａ及び／又は雄受電アンテナ１４０ａは導体であっても良いし、コイルや端子であっても良い。上記の通り、アンテナ及び／又は基板を雄ボディの収容空間内に配置した場合、雄ボディ内にインサート成形する際のアンテナ及び／又は基板に対する樹脂流動などの影響を考慮する必要がなくなるため、アンテナ及び／又は基板の形状や配置の自由度が高くなる。なお、雄ボディ２１０ａも、雄ボディ１１０ａ、１１０ａ’と同様に設計変更することが可能である。
【０１５３】
本発明の雄ボディの外形は、雌コネクタの接続孔に挿入される限り任意に設計変更することが可能である。例えば、雄ボディは、絶縁樹脂製の多面体（例えば、多角柱や多角錘台等）、半球、砲弾状、円柱又は円錐台とすることが可能である。
【０１５４】
本発明の雄ボディの外面エリアは、雄ボディの外面の互いに重複しないエリアである限り任意に設計変更することが可能である。雄ボディが多面体、円柱又は円錐台である場合、当該多面体、円柱又は円錐台の複数の外面が外面エリアとして設定された構成としても良いし、少なくとも一つの外面に互いに重複しない複数の外面エリアが設定された構成としても良い。雄ボディが半球又は砲弾状である場合には、当該半球又は砲弾の外面に互いに重複しない複数の外面エリアが設定された構成とすると良い。更に、雄ボディは、第１ボディと、第１ボディに連接されており且つ第１ボディよりも外形が大きい又は小さい第２ボディとを有する構成とすることも可能である。第１、第２ボディの各々は、絶縁樹脂製の多面体（例えば、多角柱や多角錘台等）、半球、砲弾状、円柱又は円錐台とすることが可能である。第１、第２ボディの少なくとも一方が、複数の外面エリアを有した構成とすることが可能である。この場合も、第１、第２ボディの少なくとも一方の複数の外面が外面エリアとして設定された構成としても良いし、第１、第２ボディの少なくとも一方の少なくとも一つの外面に互いに重複しない複数の外面エリアが設定された構成としても良い。なお、本発明の雄ボディは透明であっても良い。
【０１５５】
本発明の雄通信アンテナは、信号を無線通信可能なアンテナであって、雄第１基板に電気的に接続されている限り任意に設計変更することが可能である。例えば、上記実施例及び上述した設計変形例の雄通信アンテナは、雄第１基板上に設けられても良いし、周知の接続手段等を介して雄第１基板に電気的に接続されていても良い。上記実施例及び上述した設計変形例の雄通信アンテナの少なくとも一つが、上記実施例及び上述した設計変形例の複数の外面エリアのうちの一つの近傍に位置するように、上述した雄ボディの内部にインサート成形によって埋め込まれた又は雄ボディの収容空間内に収容された構成とすることが可能である。本発明の雄通信アンテナは、送信用通信アンテナ及び受信用通信アンテナの何れであっても良い。また、本発明の雄通信アンテナは、導体、コイル及び端子（例えば、加工された金属板）の何れか一つであると良いが、これに限定されるものではない。導体は、雄第１基板上又は雄ボディの収容空間の内壁上等に形成することが可能である。
【０１５６】
本発明の雄コネクタの通信回路は省略可能である。本発明の雄コネクタの通信回路は、上述した何れかの態様の雄通信アンテナに接続され、当該雄通信アンテナを用いて信号を無線送信又は無線受信可能である構成である限り任意に設計変更することが可能である。例えば、雄コネクタの通信回路は、雄第１基板以外の基板に電気的に接続された構成とすることが可能である。また、雄コネクタの通信回路が省略される場合、当該通信回路は雄
コネクタの外部に配置された構成とすることが可能である。この場合、通信回路は周知の接続手段を通じて上述した何れかの態様の雄通信アンテナに接続される。
【０１５７】
本発明の雄受電アンテナは省略可能である。本発明の雄受電アンテナは、雄第１基板又は雄第２基板に電気的に接続されており且つ上述した雄ボディの内部にインサート成形によって埋め込まれた又は雄ボディの収容空間内に収容された構成である限り任意に設計変更することが可能である。例えば、上記実施例及び上述した設計変形例の雄受電アンテナは、雄第１基板の雄第２部又は雄第２基板上に設けられても良いし、周知の接続手段等を介して雄第１基板又は雄第２基板に電気的に接続されていても良い。上記実施例及び上述した設計変形例の雄受電アンテナの少なくとも一つが、上記実施例及び上述した設計変形例の複数の外面エリアのうちの雄通信アンテナの近傍の外面エリアと異なる外面エリアの近傍に位置するように、上述した雄ボディの内部にインサート成形によって埋め込まれた又は雄ボディの収容空間内に収容された構成とすることが可能である。雄ボディの収容空間内に収容された雄受電アンテナは、雄ボディの外部に露出しない。
【０１５８】
上述した何れかの態様の雄受電アンテナは、無線で電力を送電可能な雄送電アンテナに置換可能である。本発明の雄送電アンテナは、雄第１基板又は雄第２基板に電気的に接続されていれば良い。例えば、雄送電アンテナは、雄第１基板の雄第２部又は雄第２基板上に設けられても良いし、周知の接続手段等を介して雄第１基板又は雄第２基板に電気的に接続されていても良い。本発明の少なくとも一つの雄送電アンテナが、上記実施例及び上述した設計変形例の複数の外面エリアのうちの雄通信アンテナの近傍の外面エリアと異なる外面エリアの近傍に位置するように、上述した雄ボディの内部にインサート成形によって埋め込まれた又は雄ボディの収容空間内に収容された構成とすることが可能である。雄受電アンテナが雄送電アンテナに置換される場合、本発明の雄コネクタは、受電回路に代えて、雄第１基板の雄第２部、雄第２基板及び雄第３基板の何れか一つに設けられた送電回路を備えた構成とすることが可能である。本発明の雄コネクタは、上述した何れかの態様の雄受電アンテナ及び雄送電アンテナを備えた構成とすることが可能である。なお、本発明の雄受電又は送電アンテナは、導体、コイル及び端子（例えば、加工された金属板）の何れか一つであると良いが、これに限定されるものではない。導体は、雄第１基板の雄第２部、雄第２基板又は雄ボディの収容空間の内壁上等に形成することが可能である。
【０１５９】
本発明の雄コネクタの受電回路及び／又は送電回路は省略可能である。本発明の雄コネクタの受電回路は、上述した何れかの態様の雄受電アンテナに無線で受電させる構成である限り任意に設計変更することが可能である。例えば、受電回路は、雄第１基板の雄第２部、雄第２基板及び雄第３基板の少なくとも一つに実装された構成とすることが可能である。受電回路が省略される場合、受電回路は雄コネクタの外部に配置された構成とすることが可能である。この場合、受電回路は周知の接続手段を通じて上述した何れかの態様の雄受電アンテナに接続される。本発明の雄コネクタの送電回路は、上述した何れかの態様の雄送電アンテナに無線で送電させる構成である限り任意に設計変更することが可能である。例えば、送電回路は、雄第１基板の雄第２部、雄第２基板及び雄第３基板の少なくとも一つに実装された構成とすることが可能である。送電回路が省略される場合、送電回路は雄コネクタの外部に配置された構成とすることが可能である。この場合、送電回路は周知の接続手段を通じて上述した何れかの態様の雄送電アンテナに接続される。
【０１６０】
本発明の雄第１基板は、上記実施例及び上述した設計変形例の雄ボディ外に配置され、当該雄ボディに固着された構成とすることが可能である。本発明の雄第１基板は、上記実施例及び上述した設計変形例の雄ボディ内に設けられた構成とすることが可能である。雄第１基板上に上述した何れかの態様の雄通信アンテナが設けられている場合、雄第１基板は、雄通信アンテナが上述した何れかの態様の外面エリアの一つの近傍に位置するように、雄ボディ内にインサート成形によって埋め込まれた又は雄ボディの収容空間内に収容さ
れた構成とすることが可能である。雄第１基板は、外面エリアに対して略平行であっても良いし、傾斜していても良いし、直角であっても良い。本発明の雄第１部は、上記実施例及び上述した設計変形例の雄ボディ内に設けられた構成とすることが可能である。雄第１部上に上述した何れかの態様の雄通信アンテナが設けられている場合、雄第１部は、雄通信アンテナが上述した何れかの態様の外面エリアの一つの近傍に位置するように、雄ボディ内にインサート成形によって埋め込まれた又は雄ボディの収容空間内に収容された構成とすることが可能である。雄第１部は、外面エリアに対して略平行であっても良いし、傾斜していても良いし、直角であっても良い。
【０１６１】
本発明の雄第２基板は、上述したように、雄受電又は送電アンテナが雄第１基板の雄第２部に設けられる場合、又は雄受電又は送電アンテナが省略される場合に、省略可能である。本発明の雄第２基板は、上記実施例及び上述した設計変形例の雄ボディ外に配置され、当該雄ボディに固着された構成とすることが可能である。本発明の雄第２基板は、上記実施例及び上述した設計変形例の雄ボディ内に設けられた構成とすることが可能である。雄第２基板上に上述した何れかの態様の雄受電又は送電アンテナが設けられている場合、雄第２基板は、雄受電又は送電アンテナが上述した何れかの態様の外面エリアのうちの雄通信アンテナの近傍の外面エリアと異なる外面エリアの近傍に位置するように、雄ボディ内に設けられた構成とすることが可能である。本発明の雄第２基板は、少なくとも一つあれば良い。
【０１６２】
本発明の雄第３基板は省略可能である。本発明の雄コネクタの制御部も省略可能である。雄第３基板及び／又は制御部は、雄コネクタの外部に配置された構成とすることが可能である。この場合、雄第３基板及び／又は制御部は、周知の接続手段を通じて上述した通信回路、受電回路及び／又は送電回路に接続される。また、制御部は、雄ボディ内に設けられた雄第３基板以外の基板に設けられた構成とすることが可能である。
【０１６３】
本発明の雄コネクタのケーブルは省略可能である。本発明の雄コネクタは、ケーブルの代りに、第１及び／又は第２外部接続部を更に備えた構成とすることが可能である。上記第１外部接続部は信号通信用の端子、ピン又はフレキシブル基板等であって、先端部と、後端部とを有している。第１外部接続部の後端部以外の部分（接続部を含む。）は上述した何れかの態様の雄ボディの内部にインサート成形によって埋め込まれている。換言すると、第１外部接続部の後端部は雄ボディから当該雄ボディの外部に突出している。第１外部接続部の先端部は、上述した雄第１基板を介して通信回路又は雄第３基板等の基板を介して制御部に接続された構成とすることが可能である。上記第２外部接続部は電力伝送用の端子、ピン又はフレキシブル基板等であって、先端部と、後端部とを有している。第２外部接続部の後端部以外の部分（接続部を含む。）は上述した何れかの態様の雄ボディの内部にインサート成形によって埋め込まれている。換言すると、第２外部接続部の後端部は雄ボディから当該雄ボディの外部に突出している。第２外部接続部の先端部は、雄第１基板の雄第２部、雄第２基板又は雄第３基板を介して受電回路又は送電回路に接続されている。
【０１６４】
本発明の雄コネクタは、雄ボディを覆うシールドケースを更に備えた構成とすることが可能である。本発明の雄コネクタは、雄第１基板と雄第２基板との間、雄第１基板と雄第３基板との間及び／又は雄第２基板と雄第３基板との間に配置されるシールド部材を更に備えた構成とすることが可能である。また、本発明の雄コネクタは、雄側係合部を更に備えた構成とすることが可能である。雄側係合部は、雄コネクタが雌コネクタの接続孔に挿入された状態で、当該雌コネクタの雌側の係合部に係合される。雄側係合部及び雌側係合部は、その何れか一方が係合凸部であり、他方が係合凸部を係合可能な係合孔とすることが可能である。
【０１６５】
本発明の雌コネクタは、接続孔を有する雌ボディと、雌ボディ内に設けられた信号を無線通信可能な雌通信アンテナと、雌通信アンテナに電気的に接続された雌第１基板とを備えている限り任意に設計変更することが可能である。
【０１６６】
例えば、雌コネクタは、雌ボディと、複数の雌通信アンテナと、複数の雌第１基板を備えた構成とすることが可能である。この場合、雌通信アンテナの少なくとも一つが雌第１基板上に各々設けられている。雌第１基板は、当該雌第１基板上の雌通信アンテナが雌ボディ内の接続孔の内面エリアの近傍に各々位置するように、雌ボディの内部にインサート成形によって各々埋め込まれている又は雌ボディの後述する収容空間内に収容されている。
【０１６７】
又は、雌コネクタは、雌ボディと、複数の雌通信アンテナと、複数の雌第１部を有する雌第１基板を備えた構成とすることが可能である。雌通信アンテナの少なくとも一つが雌第１部上に各々設けられている。雌第１部は、当該雌第１部上の雌通信アンテナが雌ボディ内の接続孔の内面エリアの近傍に各々位置するように、雌ボディの内部にインサート成形によって各々埋め込まれている又は雌ボディの収容空間内に収容されている。具体的には、雌第１基板は、リジットフレキシブル基板、フレキシブルプリント基板又はＰＥＴ基板である。雌第１基板は折り曲げられたり湾曲させられたりした状態で、当該雌第１基板の雌第１部は、当該雌第１部上の雌通信アンテナが雌ボディ内の接続孔の内面エリアの近傍に各々位置するように、雌ボディの内部にインサート成形によって各々埋め込まれている又は雌ボディの収容空間内に収容されている。
【０１６８】
又は、雌コネクタは、雌ボディと、雌通信アンテナと、雌送電又は受電アンテナと、雌第１、第２部を有する雌第１基板を備えた構成とすることが可能である。雌通信アンテナが雌第１部に設けられている。雌送電又は受電アンテナは、雌第２基板の代りに、雌第２部に設けられている。雌第１部は、雌通信アンテナが雌ボディ内の接続孔の内面エリアのうちの一つの近傍に位置するように、雌ボディの内部にインサート成形によって埋め込まれている又は雌ボディの収容空間内に収容されている。雌第２部は、雌送電又は受電アンテナと共に雌ボディの内部にインサート成形によって埋め込まれている又は雌ボディの収容空間内に収容されている。
【０１６９】
更に、雌第２部は、雌送電又は受電アンテナが雌ボディの接続孔の雌通信アンテナの近傍の内面エリアと異なる内面エリアの近傍に位置するように、雌ボディの内部にインサート成形によって埋め込まれた又は雌ボディの収容空間内に収容された構成とすることが可能である。この場合、雌第１基板は、リジットフレキシブル基板、フレキシブルプリント基板又はＰＥＴ基板である。雌第１基板は折り曲げられたり湾曲させられたりした状態で、雌第１基板の雌第１部は、雌通信アンテナが雌ボディ内の内面エリアのうちの一つの近傍に位置するように、雌ボディの内部にインサート成形によって埋め込まれている又は雌ボディの収容空間内に収容されている。雌第１基板の雌第２部は、雌送電又は受電アンテナが雌通信アンテナの近傍の内面エリアと異なる内面エリアの近傍に位置するように、雌ボディの内部にインサート成形によって埋め込まれている又は雌ボディの収容空間内に収容されている。
【０１７０】
本発明の雌ボディは、当該雌ボディの内部に少なくとも雌通信アンテナが設けられている限り任意に設計変更することが可能である。例えば、雌ボディの内部に収容空間が設けられた構成とすることが可能である。この収容空間内に少なくとも雌通信アンテナが収容された構成とすると良い。この雌通信アンテナも雌ボディの外部に露出しない。上述した雌ボディ１１０ｂ、１１０ｂ’も、収容空間が設けられた構成とすることが可能である。当該収容空間に雌通信アンテナ１２１ｂ、１２２ｂ、通信回路１３１ｂ、１３２ｂ、雌送電アンテナ１４０ｂ、送電回路１５０ｂ、制御部１６０ｂ、雌第１基板１７１ｂ、雌第２基板１７２ｂ及び雌第３基板１７３ｂが収容された構成とすることが可能である。又は、雌通信アンテナ１２１ｂ、１２２ｂ及び雌送電アンテナ１４０ｂの少なくとも一つが雌ボディ１１０ｂ、１１０ｂ’内に上記実施例の通りインサート成形により埋め込まれており、雌ボディ１１０ｂ、１１０ｂ’内の収容空間に、雌通信アンテナ１２１ｂ、１２２ｂ及び雌送電アンテナ１４０ｂの残り、通信回路１３１ｂ、１３２ｂ、送電回路１５０ｂ、制御部１６０ｂ、雌第１基板１７１ｂ、雌第２基板１７２ｂ及び雌第３基板１７３ｂが収容された構成とすることが可能である。この場合、雌ボディ１１０ｂ、１１０ｂ’内にインサートされるアンテナは後述のコイルや端子とし、当該アンテナがリード線やＦＰＣ等の接続手段によって収容空間内の基板に接続されると良い。又は、雌通信アンテナ１２１ｂ、１２２ｂ、通信回路１３１ｂ、１３２ｂ及び雌第１基板１７１ｂが雌ボディ１１０ｂ、１１０ｂ’内に上記実施例の通りインサート成形により埋め込まれており、雌ボディ１１０ｂ、１１０ｂ’内の収容空間に、雌送電アンテナ１４０ｂ、送電回路１５０ｂ、制御部１６０ｂ、雌第２基板１７２ｂ及び雌第３基板１７３ｂが収容された構成とすることが可能である。この場合、雌通信アンテナ１２１ｂ、１２２ｂは導体であっても良いし、コイルや端子であっても良い。又は、雌送電アンテナ１４０ｂ及び雌第２基板１７２ｂが雌ボディ１１０ｂ、１１０ｂ’内に上記実施例の通りインサート成形により埋め込まれており、雌ボディ１１０ｂ、１１０ｂ’内の収容空間に、雌通信アンテナ１２１ｂ、１２２ｂ、通信回路１３１ｂ、１３２ｂ、雌第１基板１７１ｂ、送電回路１５０ｂ、制御部１６０ｂ及び雌第３基板１７３ｂが収容された構成とすることが可能である。この場合、雌送電アンテナ１４０ｂは導体であっても良いし、コイルや端子であっても良い。又は、雌通信アンテナ１２１ｂ、１２２ｂ、通信回路１３１ｂ、１３２ｂ、雌第１基板１７１ｂ、雌送電アンテナ１４０ｂ及び雌第２基板１７２ｂが上記実施例の通り雌ボディ１１０ｂ、１１０ｂ’内にインサート成形により埋め込まれており、雌ボディ１１０ｂ、１１０ｂ’内の収容空間に、送電回路１５０ｂ、制御部１６０ｂ、雌第２基板１７２ｂ及び雌第３基板１７３ｂが収容された構成とすることが可能である。この場合、雌通信アンテナ１２１ｂ、１２２ｂ及び／又は雌送電アンテナ１４０ｂは導体であっても良いし、コイルや端子であっても良い。上記の通り、アンテナ及び／又は基板を雌ボディの収容空間内に配置した場合、雌ボディ内にインサート成形する際のアンテナ及び／又は基板に対する樹脂流動などの影響を考慮する必要がなくなるため、アンテナ及び／又は基板の形状や配置の自由度が高くなる。なお、雌ボディ２１０ｂも、雌ボディ１１０ｂ、１１０ｂ’と同様に設計変更することが可能である。
【０１７１】
本発明の雌ボディの外形は任意に設計変更することが可能である。本発明の雌ボディの接続孔の形状は、上述した何れかの態様の雄コネクタが挿入され且つ位置固定される限り任意に設計変更することが可能である。例えば、接続孔は、多面体（例えば、多角柱や多角錘台等）状、半球状、砲弾状、円柱状又は円錐台状の孔とすることが可能である。
【０１７２】
本発明の雌ボディの接続孔の内面エリアは、雌ボディの接続孔の内面の互いに重複しないエリアである限り任意に設計変更することが可能である。接続孔が多面体状、円柱状又は円錐台状である場合、当該接続孔の複数の内面が内面エリアとして設定された構成としても良いし、少なくとも一つの内面に互いに重複しない複数の内面エリアが設定された構成としても良い。接続孔が半球状又は砲弾状の孔である場合には、当該接続孔の内面に互いに重複しない複数の内面エリアが設定された構成とすると良い。更に、雌ボディの接続孔は、第１接続孔と、第１接続孔に連通しており且つ第１接続孔よりも大きい又は小さい第２接続孔とを有する構成とすることも可能である。この場合、第１、第２接続孔の少なくとも一方が、複数の内面エリアを有した構成とすることが可能である。第１、第２接続孔の各々は、多面体（例えば、多角柱や多角錘台等）状、半球状、砲弾状、円柱状又は円錐台状の孔とすることが可能である。この場合も、第１、第２接続孔の少なくとも一方の複数の内面が内面エリアとして設定された構成としても良いし、少なくとも
一つの内面に互いに重複しない複数の内面エリアが設定された構成としても良い。なお、本発明の雌ボディは透明であっても良い。
【０１７３】
本発明の雌通信アンテナは、信号を無線通信可能なアンテナであって、雌第１基板に電気的に接続されている限り任意に設計変更することが可能である。例えば、上記実施例及び上述した設計変形例の雌通信アンテナは、雌第１基板上に設けられても良いし、周知の接続手段等を介して雌第１基板に電気的に接続されていても良い。上記実施例及び上述した設計変形例の雌通信アンテナの少なくとも一つが、上記実施例及び上述した設計変形例の複数の内面エリアのうちの一つの近傍に位置するように、上述した雌ボディの内部にインサート成形によって埋め込まれた又は雌ボディの収容空間内に収容された構成とすることが可能である。本発明の雌通信アンテナは、送信用通信アンテナ及び受信用通信アンテナの何れであっても良い。また、本発明の雌通信アンテナは、導体、コイル及び端子の何れか一つであると良いが、これに限定されるものではない。導体は、雌第１基板上又は雌ボディの収容空間の内壁上等に形成することが可能である。
【０１７４】
本発明の雌コネクタの通信回路は省略可能である。本発明の雌コネクタの通信回路は、上述した何れかの態様の雌通信アンテナを用いて信号を無線送信又は無線受信可能である構成である限り任意に設計変更することが可能である。例えば、雌コネクタの通信回路は、雌第１基板以外の基板に電気的に接続された構成とすることが可能である。また、雌コネクタの通信回路が省略される場合、当該通信回路は雌コネクタの外部に配置された構成とすることが可能である。この場合、通信回路は周知の接続手段を通じて上述した何れかの態様の雌通信アンテナに接続される。
【０１７５】
本発明の雌送電アンテナは省略可能である。本発明の雌送電アンテナは、雌第１基板又は雌第２基板に電気的に接続されており且つ上述した雌ボディの内部にインサート成形によって埋め込まれた又は雌ボディの収容空間内に収容された構成である限り任意に設計変更することが可能である。例えば、上記実施例及び上述した設計変形例の雌送電アンテナは、雌第１基板の雌第２部又は雌第２基板上に設けられても良いし、周知の接続手段等を介して雌第１基板又は雌第２基板に電気的に接続されていても良い。上記実施例及び上述した設計変形例の雌送電アンテナの少なくとも一つが、上記実施例及び上述した設計変形例の複数の内面エリアのうちの雌通信アンテナの近傍の内面エリアと異なる内面エリアの近傍に位置するように、上述した雌ボディの内部にインサート成形によって埋め込まれた又は雌ボディの収容空間内に収容された構成とすることが可能である。雌ボディの収容空間内に収容された雌送電アンテナは、雌ボディの外部に露出しない。
【０１７６】
上述した何れかの態様の雌送電アンテナは、無線で電力を受電可能な雌受電アンテナに置換可能である。本発明の雌受電アンテナは、雌第１基板又は雌第２基板に電気的に接続されていれば良い。例えば、雌受電アンテナは、雌第１基板の雌第２部又は雌第２基板上に設けられても良いし、周知の接続手段等を介して雌第１基板又は雌第２基板に電気的に接続されていても良い。本発明の少なくとも一つの雌受電アンテナが、上記実施例及び上述した設計変形例の複数の内面エリアのうちの雌通信アンテナの近傍の内面エリアと異なる内面エリアの近傍に位置するように、上述した雌ボディの内部にインサート成形によって埋め込まれた又は雌ボディの収容空間内に収容された構成とすることが可能である。雌送電アンテナが雌受電アンテナに置換される場合、本発明の雌コネクタは、送電回路に代えて、雌第１基板の雌第２部、雌第２基板及び雌第３基板の何れか一つに設けられた受電回路を備えた構成とすることが可能である。本発明の雌コネクタは、上述した何れかの態様の雌送電アンテナ及び雌受電アンテナを備えた構成とすることが可能である。なお、本発明の雌送電又は受電アンテナは、導体、コイル及び端子の何れか一つであると良いが、これに限定されるものではない。導体は、雌第１基板の雌第２部、雌第２基板又は雌ボディの収容空間の内壁上等に形成することが可能である。
【０１７７】
本発明の雌コネクタの送電回路は省略可能である。本発明の雌コネクタの送電回路は、上述した何れかの態様の雌送電アンテナに無線で送電させる構成である限り任意に設計変更することが可能である。例えば、送電回路は、雌第１基板の雌第２部、雌第２基板及び雌第３基板の少なくとも一つに実装された構成とすることが可能である。送電回路が省略される場合、送電回路は雌コネクタの外部に配置された構成とすることが可能である。この場合、送電回路は周知の接続手段を通じて上述した何れかの態様の雌送電アンテナに接続される。本発明の雌コネクタの受電回路は、上述した何れかの態様の雌受電アンテナに無線で受電させる構成である限り任意に設計変更することが可能である。例えば、受電回路は、雌第１基板の雌第２部、雌第２基板及び雌第３基板の少なくとも一つに実装された構成とすることが可能である。受電回路が省略される場合、受電回路は雌コネクタの外部に配置された構成とすることが可能である。この場合、受電回路は周知の接続手段を通じて上述した何れかの態様の雌受電アンテナに接続される。
【０１７８】
本発明の雌第１基板は、上記実施例及び上述した設計変形例の雌ボディ外に配置され、当該雌ボディに固着された構成とすることが可能である。本発明の雌第１基板は、上記実施例及び上述した設計変形例の雌ボディ内に設けられた構成とすることが可能である。雌第１基板上に上述した何れかの態様の雌通信アンテナが設けられている場合、雌第１基板は、雌通信アンテナが上述した何れかの態様の内面エリアの一つの近傍に位置するように、雌ボディ内にインサート成形によって埋め込まれた又は雌ボディの収容空間内に収容された構成とすることが可能である。雌第１基板は、内面エリアに対して略平行であっても良いし、傾斜していても良いし、直角であっても良い。本発明の雌第１部は、上記実施例及び上述した設計変形例の雌ボディ内に設けられた構成とすることが可能である。雌第１部上に上述した何れかの態様の雌通信アンテナが設けられている場合、雌第１部は、雌通信アンテナが上述した何れかの態様の内面エリアの一つの近傍に位置するように、雌ボディ内にインサート成形によって埋め込まれた又は雌ボディの収容空間内に収容された構成とすることが可能である。雌第１部は、内面エリアに対して略平行であっても良いし、傾斜していても良いし、直角であっても良い。
【０１７９】
本発明の雌第２基板は、上述したように、雌送電又は受電アンテナが雌第１基板の雌第２部に設けられる場合、又は雌送電又は受電アンテナが省略される場合に、省略可能である。本発明の雌第２基板は、上記実施例及び上述した設計変形例の雌ボディ外に配置され、当該雌ボディに固着された構成とすることが可能である。本発明の雌第２基板は、上記実施例及び上述した設計変形例の雌ボディ内に設けられた構成とすることが可能である。雌第２基板上に上述した何れかの態様の雌受電又は送電アンテナが設けられている場合、雌第２基板は、雌受電又は送電アンテナが上述した何れかの態様の内面エリアのうちの雌通信アンテナの近傍の内面エリアと異なる内面エリアの近傍に位置するように、雌ボディ内にインサート成形によって埋め込まれた又は雌ボディの収容空間内に収容された構成とすることが可能である。本発明の雌第２基板は、少なくとも一つあれば良い。
【０１８０】
本発明の雌第３基板は省略可能である。本発明の雌コネクタの制御部も省略可能である。雌第３基板及び／又は制御部は、雌コネクタの外部に配置された構成とすることが可能である。この場合、雌第３基板及び／又は制御部は、周知の接続手段を通じて上述した通信回路、受電回路及び／又は送電回路に接続される。また、制御部は、雌ボディ内に設けられた雌第３基板以外の基板に設けられた構成とすることが可能である。
【０１８１】
本発明の雌コネクタの第１、第２外部接続部は省略可能である。本発明の雌コネクタは、第１、第２外部接続部の代りに、ケーブルを更に備えた構成とすることが可能である。このケーブルは、通信線と、電力線とを有している。ケーブルの長さ方向の一端部から、複数の通信線及び電力線が突出している。突出した通信線は、上述した何れかの態様の雌
第１基板を介して通信回路又は雌第３基板等の基板を介して制御部に接続されている。突出した電力線は、上述した何れかの態様の雌第１基板の雌第２部、雌第２基板又は雌第３基板を介して受電回路又は送電回路に接続されている。
【０１８２】
本発明の雌コネクタは、雌ボディを覆うシールドケースを更に備えた構成とすることが可能である。本発明の雌コネクタは、雌第１基板と雌第２基板との間、雌第１基板と雌第３基板との間及び／又は雌第２基板と雌第３基板との間に配置されるシールド部材を更に備えた構成とすることが可能である。本発明の雌コネクタは、上述した雌側係合部を更に備えた構成とすることが可能である。
【０１８３】
本発明の接続構造は、上述した何れかの態様の雄コネクタと、上述した何れかの態様の雌コネクタとを備え、雄コネクタが雌コネクタの雌接続孔内に挿入され且つ位置固定された状態（接続状態）で、上述した何れかの態様の雄通信アンテナと上述した何れかの態様の雌通信アンテナとが信号を無線通信可能な範囲に配置される限り任意に設計変更することが可能である。
【０１８４】
本発明の接続構造は、接続状態で、雄コネクタの複数の外面エリア（上述した何れかの態様の外面エリア）のうちの雄通信アンテナ（上述した何れかの態様の雄通信アンテナ）が近傍に位置する外面エリアと雌コネクタのうちの雌通信アンテナ（上述した何れかの態様の雌通信アンテナ）が近傍に位置する内面エリア（上述した何れかの態様の内面エリア）とが互いに対向し、雄通信アンテナと雌通信アンテナとが信号を無線通信可能な範囲に配置された構成とすることが可能である。
【０１８５】
本発明の接続構造は、接続状態で、上述した何れかの態様の雄通信アンテナが近傍に位置する外面エリアと上述した何れかの態様の雌通信アンテナが近傍に位置する内面エリアとが互いに対向し、当該外面エリアの近傍に位置する雄通信アンテナと当該内面エリアの近傍に位置する雌通信アンテナとが信号を無線通信可能な範囲に配置され、且つ、上述した何れかの態様の雄受電又は送電アンテナと上述した何れかの態様の雌送電又は受電アンテナとが、無線電力伝送可能な範囲に配置されるようにしても良い。
【０１８６】
更に、本発明の接続構造は、接続状態で、上述した何れかの態様の雄通信アンテナが近傍に位置する外面エリアと上述した何れかの態様の雌通信アンテナが近傍に位置する内面エリアとが互いに対向し、当該外面エリアの近傍に位置する雄通信アンテナと当該内面エリアの近傍に位置する雌通信アンテナとが信号を無線通信可能な範囲に配置され、且つ、上述した何れかの態様の雄受電又は送電アンテナが近傍に位置する外面エリアと上述した何れかの態様の雌送電又は受電アンテナが近傍に位置する内面エリアとが互いに対向し、当該外面エリアの近傍に位置する雄受電又は送電アンテナと当該内面エリアの近傍に位置する雌送電又は受電アンテナとが、無線電力伝送可能な範囲に配置されるようにしても良い。
【０１８７】
上記の通り雄通信アンテナ及び雌通信アンテナが複数である場合、上述した各接続状態で、対応する雄通信アンテナ及び雌通信アンテナが各々信号を無線通信可能な範囲に配置される構成とすると良い。上記の通り雄通信アンテナ及び雌通信アンテナが複数であり、雄通信アンテナが雄ボディの外面エリアの近傍に各々位置し、雌通信アンテナが雌ボディ内の内面エリアの近傍に各々位置する場合、上述した各接続状態で、対応する雄通信アンテナが近傍に位置する外面エリア及び雌通信アンテナが近傍に位置する内面エリアが各々対向し、対応する雄通信アンテナ及び雌通信アンテナが各々信号を無線通信可能な範囲に配置される構成とすると良い。
【０１８８】
上記の通り雄受電又は送電アンテナ及び雌送電又は受電アンテナが複数である場合、上
述した各接続状態で、対応する雄受電又は送電アンテナ及び雌送電又は受電アンテナが各々無線電力伝送可能な範囲に配置される構成とすると良い。上記の通り雄受電又は送電アンテナ及び雌送電又は受電アンテナが複数であり、雄受電又は送電アンテナが雄ボディの外面エリアの近傍に各々位置し、雌送電又は受電アンテナが雌ボディ内の内面エリアの近傍に各々位置する場合、上述した各接続状態で、対応する雄受電又は送電アンテナが近傍に位置する外面エリア及び雌送電又は受電アンテナが近傍に位置する内面エリアが各々対向し、対応する雄受電又は送電アンテナ及び雌送電又は受電アンテナが各々無線電力伝送可能な範囲に配置される構成とすると良い。上述した各接続状態で、雄通信アンテナが近傍に位置する外面エリアと雌通信アンテナが近傍に位置する内面エリアとは略平行に対向する必要はない。上述した各接続状態で、内面エリアと外面エリアとが各々略平行に対向する構成とすることが可能である。
【０１８９】
なお、上記実施例における雄コネクタ及び雌コネクタの各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。上述した通信方式は、その一例を示しただけである。よって、本発明の通信方式は、上述した何れかの態様の雄通信アンテナと上述した何れかの態様の雌通信アンテナとによって無線通信可能である限り任意に設計変更することが可能である。上述した充電方式も、その一例を示しただけである。よって、本発明の充電方式は、上述した何れかの態様の雄受電又は送電アンテナと上述した何れかの態様の雌送電又は受電アンテナとによって無線電力伝送可能である限り任意に設計変更することが可能である。なお、上述した周知の接続手段としては、例えば、ピン、導体やケーブル等を用いることが可能である。
【符号の説明】
【０１９０】
１００ａ・・・・・・・雄コネクタ
１１０ａ・・・・・・雄ボディ
１１１ａ・・・・・外面（外面エリア）
１２１ａ、１２２ａ・雄通信アンテナ
１３１ａ、１３２ａ・通信回路
１４０ａ・・・・・・雄受電アンテナ
１５０ａ・・・・・・受電回路
１６０ａ・・・・・・制御部
１７１ａ・・・・・・雄第１基板
１７２ａ・・・・・・雄第２基板
１７３ａ・・・・・・雄第３基板
１００ｂ・・・・・・・雌コネクタ
１１０ｂ・・・・・・雌ボディ
１１１ｂ・・・・・接続孔
１１２ｂ・・・・・内面（内面エリア）
１２１ｂ、１２２ｂ・雌通信アンテナ
１３１ｂ、１３２ｂ・通信回路
１４０ｂ・・・・・・雌送電アンテナ
１５０ｂ・・・・・・送電回路
１６０ｂ・・・・・・制御部
１７１ｂ・・・・・・雌第１基板
１７２ｂ・・・・・・雌第２基板
１７３ｂ・・・・・・雌第３基板
１００ａ’・・・・・・雄コネクタ
１１０ａ’・・・・・雄ボディ
１１１ａ’・・・・第１ボディ
１１１ａ１’・・外面（外面エリア）
１１２ａ’・・・・・第２ボディ
１１２ａ１’・・外面（外面エリア）
１００ｂ’・・・・・・雌コネクタ
１１０ｂ’・・・・・雌ボディ
１１１ｂ’・・・・接続孔
１１１ｂ１’・・第１接続孔
１１１ｂ２’・・第２接続孔
１１２ｂ１’・・内面（内面エリア）
１１２ｂ２’・・内面（内面エリア）
２００ａ・・・・・・・雄コネクタ
２１０ａ・・・・・・雄ボディ
２１１ａ・・・・・外面
２１２ａ・・・・外面エリア
２２１ａ、２２２ａ・雄通信アンテナ
２３０ａ・・・・・・雄受電アンテナ
２４０ａ・・・・・・受電回路
２５０ａ・・・・・・制御部
２６１ａ・・・・・・雄第１基板
２６２ａ・・・・・・雄第２基板
２６３ａ・・・・・・雄第３基板
２００ｂ・・・・・・・雌コネクタ
２１０ｂ・・・・・・雌ボディ
２１１ｂ・・・・・接続孔
２１２ｂ・・・・・内面
２１３ｂ・・・・内面エリア
２２１ｂ、２２２ｂ・雌通信アンテナ
２３０ｂ・・・・・・雌送電アンテナ
２４０ｂ・・・・・・送電回路
２５０ｂ・・・・・・制御部
２６１ｂ・・・・・・雌第１基板
２６２ｂ・・・・・・雌第２基板
２６３ｂ・・・・・・雌第３基板
【図１Ａ】
2019068439.tif 000003
【図１Ｂ】
2019068439.tif 000004
【図２Ａ】
2019068439.tif 000005
【図２Ｂ】
2019068439.tif 000006
【図２Ｃ】
2019068439.tif 000007
【図３Ａ】
2019068439.tif 000008
【図３Ｂ】
2019068439.tif 000009
【図４Ａ】
2019068439.tif 000010
【図４Ｂ】
2019068439.tif 000011
【図４Ｃ】
2019068439.tif 000012
【図５】
2019068439.tif 000013
【図６Ａ】
2019068439.tif 000014
【図６Ｂ】
2019068439.tif 000015
【図７】
2019068439.tif 000016
【図８Ａ】
2019068439.tif 000017
【図８Ｂ】
2019068439.tif 000018
【図９】
2019068439.tif 000019
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
多面体である雄ボディであって、複数の外面を有し、前記外面が互いに重複しない外面エリアである前記雄ボディと、
信号を無線通信可能な雄通信アンテナと、
雄受電又は送電アンテナとを備えており、
前記雄通信アンテナ及び前記雄受電又は送電アンテナは、前記雄ボディ内に設けられており、且つ前記外面エリアのうちの異なる外面エリアの近傍に位置しており、
前記雄通信アンテナが近傍に位置する前記外面エリアと、当該雄通信アンテナとの間の距離が、当該雄通信アンテナ全体にわたって略同じ距離であり、
前記雄受電又は送電アンテナが近傍に位置する前記外面エリアと、当該雄受電又は送電アンテナとの間の距離が、当該雄受電又は送電アンテナ全体にわたって略同じ距離である雄コネクタ。
【請求項２】
請求項１記載の雄コネクタにおいて、
前記雄通信アンテナは複数であって、第１、第２雄通信アンテナを含み、前記第１、第２雄通信アンテナが、前記外面エリアのうちの異なる外面エリアの近傍に位置している雄コネクタ。
【請求項３】
請求項１又は２記載の雄コネクタにおいて、
前記雄受電又は送電アンテナは複数であって、第１、第２雄受電又は送電アンテナを含み、前記第１、第２雄受電又は送電アンテナが、前記外面エリアのうちの異なる外面エリアの近傍に位置している雄コネクタ。
【請求項４】
多面体である雄ボディであって、複数の外面を有し、前記外面が互いに重複しない外面エリアである前記雄ボディと、
信号を無線通信可能な複数の雄通信アンテナとを備えており、
前記雄通信アンテナは、第１、第２雄通信アンテナを含み、前記第１、第２雄通信アンテナは、前記雄ボディ内に設けられ且つ前記外面エリアのうちの異なる外面エリアの近傍に位置しており、
前記第１雄通信アンテナが近傍に位置する前記外面エリアと、当該第１雄通信アンテナとの間の距離が、当該第１雄通信アンテナ全体にわたって略同じ距離であり、前記第２雄通信アンテナが近傍に位置する前記外面エリアと、当該第２雄通信アンテナとの間の距離が、当該第２雄通信アンテナ全体にわたって略同じ距離である雄コネクタ。
【請求項５】
請求項１〜４の何れかに記載の雄コネクタにおいて、
前記少なくとも一つの第１雄アンテナに電気的に接続された雄第１基板を更に備えている雄コネクタ。
【請求項６】
多面体状の接続孔及び前記接続孔の複数の内面を有し、前記内面が互いに重複しない内面エリアである雌ボディと、
信号を無線通信可能な雌通信アンテナと、
雌送電又は受電アンテナとを備えており、
前記雌通信アンテナ及び前記雌送電又は受電アンテナは、前記雌ボディ内に設けられており、且つ前記内面エリアのうちの異なる内面エリアの近傍に位置しており、
前記雌通信アンテナが近傍に位置する前記内面エリアと、当該雌通信アンテナとの間の距離が、当該雌通信アンテナ全体にわたって略同じ距離であり、
前記雌送電又は受電アンテナが近傍に位置する前記内面エリアと、当該雌送電又は受電アンテナとの間の距離が、当該雌送電又は受電アンテナ全体にわたって略同じ距離である雌コネクタ。
【請求項７】
請求項６記載の雌コネクタにおいて、
前記雌通信アンテナは複数であって、第１、第２雌通信アンテナを含み、前記第１、第２雌通信アンテナは、前記内面エリアのうちの異なる内面エリアの近傍に位置している雌コネクタ。
【請求項８】
請求項６又は７記載の雌コネクタにおいて、
前記雌送電又は受電アンテナは複数であって、第１、第２雌送電又は受電アンテナを含み、前記第１、第２雌送電又は受電アンテナは、前記内面エリアのうちの異なる内面エリアの近傍に位置している雌コネクタ。
【請求項９】
多面体状の接続孔及び前記接続孔の複数の内面を有し、前記内面が互いに重複しない内面エリアである雌ボディと、
信号を無線通信可能な複数の雌通信アンテナとを備えており、
前記雌通信アンテナは、第１、第２雌通信アンテナを含み、前記第１、第２雌通信アンテナは、前記雌ボディ内に設けられ且つ前記内面エリアのうちの異なる内面エリアの近傍に位置しており、
前記第１雌通信アンテナが近傍に位置する前記内面エリアと、当該第１雌通信アンテナとの間の距離が、当該第１雌通信アンテナ全体にわたって略同じ距離であり、前記第２雌通信アンテナが近傍に位置する前記内面エリアと、当該第２雌通信アンテナとの間の距離が、当該第２雌通信アンテナ全体にわたって略同じ距離である雌コネクタ。
【請求項１０】
請求項６〜９の何れかに記載の雌コネクタにおいて、
前記少なくとも一つの第１雌アンテナに電気的に接続された雌第１基板を更に備えている雌コネクタ。
【請求項１１】
雌コネクタと、
雄コネクタとを備えており、
前記雌コネクタは、多面体状の接続孔及び前記接続孔の複数の内面を有し、前記内面が互いに重複しない内面エリアである雌ボディと、
信号を無線通信可能な雌通信アンテナと、
雌送電又は受電アンテナとを備えており、
前記雌通信アンテナ及び前記雌送電又は受電アンテナは、前記雌ボディ内に設けられており、且つ前記内面エリアのうちの異なる内面エリアの近傍に位置しており、
前記雌通信アンテナが近傍に位置する前記内面エリアと、当該雌通信アンテナとの間の距離が、当該雌通信アンテナ全体にわたって略同じ距離であり、
前記雌送電又は受電アンテナが近傍に位置する前記内面エリアと、当該雌送電又は受電アンテナとの間の距離が、当該雌送電又は受電アンテナ全体にわたって略同じ距離であり、
前記雄コネクタは、多面体である雄ボディであって、複数の外面を有し、前記外面が互いに重複しない外面エリアである前記雄ボディと、
信号を無線通信可能な雄通信アンテナと、
雄受電又は送電アンテナとを備えており、
前記雄通信アンテナ及び前記雄受電又は送電アンテナは、前記雄ボディ内に設けられており、且つ前記外面エリアのうちの異なる外面エリアの近傍に位置しており、
前記雄通信アンテナが近傍に位置する前記外面エリアと、当該雄通信アンテナとの間の距離が、当該雄通信アンテナ全体にわたって略同じ距離であり、
前記雄受電又は送電アンテナが近傍に位置する前記外面エリアと、当該雄受電又は送電アンテナとの間の距離が、当該雄受電又は送電アンテナ全体にわたって略同じ距離であり、
前記雄コネクタが前記雌コネクタの前記接続孔内に挿入され且つ位置固定された状態で、前記雄通信アンテナが近傍に位置する前記外面エリアと前記雌通信アンテナが近傍に位置する前記内面エリアとが互いに対向し、当該外面エリアの近傍に位置する前記雄通信アンテナと当該内面エリアの近傍に位置する前記雌通信アンテナとが信号を無線通信可能な範囲に配置され、且つ、前記雄受電又は送電アンテナが近傍に位置する前記外面エリアと前記雌送電又は受電アンテナが近傍に位置する前記内面エリアとが互いに対向し、前記雄受電又は送電アンテナと前記雌送電又は受電アンテナとが、無線電力伝送可能な範囲に配置される雄コネクタと雌コネクタとの接続構造。
【請求項１２】
請求項１１記載の雄コネクタと雌コネクタとの接続構造において、
前記雄コネクタが前記雌コネクタの前記接続孔内に挿入され且つ位置固定された状態で、前記雄通信アンテナが近傍に位置する前記外面エリアと前記雌通信アンテナが近傍に位置する前記内面エリアとが互いに当接し、当該外面エリアの近傍に位置する前記雄通信アンテナと当該内面エリアの近傍に位置する前記雌通信アンテナとが信号を無線通信可能な範囲に配置され、且つ、前記雄受電又は送電アンテナが近傍に位置する前記外面エリアと前記雌送電又は受電アンテナが近傍に位置する前記内面エリアとが互いに当接し、前記雄受電又は送電アンテナと前記雌送電又は受電アンテナとが、無線電力伝送可能な範囲に配置される雄コネクタと雌コネクタとの接続構造。
【請求項１３】
雌コネクタと、
雄コネクタとを備えており、
前記雌コネクタは、多面体状の接続孔及び前記接続孔の複数の内面を有し、前記内面が互いに重複しない内面エリアである雌ボディと、
信号を無線通信可能な複数の雌通信アンテナとを備えており、
前記雌通信アンテナは、第１、第２雌通信アンテナを含み、前記第１、第２雌通信アンテナは、前記雌ボディ内に設けられ且つ前記内面エリアのうちの異なる内面エリアの近傍に位置しており、
前記第１雌通信アンテナが近傍に位置する前記内面エリアと、当該第１雌通信アンテナとの間の距離が、当該第１雌通信アンテナ全体にわたって略同じ距離であり、前記第２雌通信アンテナが近傍に位置する前記内面エリアと、当該第２雌通信アンテナとの間の距離が、当該第２雌通信アンテナ全体にわたって略同じ距離であり、
前記雄コネクタは、多面体である雄ボディであって、複数の外面を有し、前記外面が互いに重複しない外面エリアである前記雄ボディと、
信号を無線通信可能な複数の雄通信アンテナとを備えており、
前記雄通信アンテナは、第１、第２雄通信アンテナを含み、前記第１、第２雄通信アンテナは、前記雄ボディ内に設けられ且つ前記外面エリアのうちの異なる外面エリアの近傍に位置しており、
前記第１雄通信アンテナが近傍に位置する前記外面エリアと、当該第１雄通信アンテナとの間の距離が、当該第１雄通信アンテナ全体にわたって略同じ距離であり、前記第２雄通信アンテナが近傍に位置する前記外面エリアと、当該第２雄通信アンテナとの間の距離が、当該第２雄通信アンテナ全体にわたって略同じ距離であり、
前記雄コネクタが前記雌コネクタの前記接続孔内に挿入され且つ位置固定された状態で、前記第１雄通信アンテナが近傍に位置する前記外面エリアと前記第１雌通信アンテナが近傍に位置する前記内面エリアとが互いに対向し、当該外面エリアの近傍に位置する前記第１雄通信アンテナと当該内面エリアの近傍に位置する前記第１雌通信アンテナとが信号を無線通信可能な範囲に配置され、且つ、前記第２雄通信アンテナが近傍に位置する前記外面エリアと前記第２雌通信アンテナが近傍に位置する前記内面エリアとが互いに対向し、当該外面エリアの近傍に位置する前記第２雄通信アンテナと当該内面エリアの近傍に位置する前記第２雌通信アンテナとが信号を無線通信可能な範囲に配置される雄コネクタと雌コネクタとの接続構造。
【手続補正２】
【補正対象書類名】明細書
【補正対象項目名】０００７
【補正方法】変更
【補正の内容】
【０００７】
上記課題を解決するために、本発明の雄コネクタは、多面体である雄ボディであって、複数の外面を有し、前記外面が互いに重複しない外面エリアである雄ボディと、信号を無線通信可能な雄通信アンテナと、雄受電又は送電アンテナとを備えている。前記雄通信アンテナ及び前記雄受電又は送電アンテナは、前記雄ボディ内に設けられており、且つ前記外面エリアのうちの異なる外面エリアの近傍に位置している。
前記雄通信アンテナが近傍に位置する前記外面エリアと、当該雄通信アンテナとの間の距離が、当該雄通信アンテナ全体にわたって略同じ距離であり、前記雄受電又は送電アンテナが近傍に位置する前記外面エリアと、当該雄受電又は送電アンテナとの間の距離が、当該雄受電又は送電アンテナ全体にわたって略同じ距離である。
【手続補正３】
【補正対象書類名】明細書
【補正対象項目名】００１３
【補正方法】変更
【補正の内容】
【００１３】
前記雄通信アンテナは複数とすることが可能である。前記雄通信アンテナは、第１、第２雄通信アンテナを含み、前記第１、第２雄通信アンテナが、前記外面エリアのうちの異なる外面エリアの近傍に位置する構成とすることが可能である。
【手続補正４】
【補正対象書類名】明細書
【補正対象項目名】００１４
【補正方法】変更
【補正の内容】
【００１４】
このような態様の雄コネクタによる場合、雄ボディ内の外面エリアの近傍に第１、第２雄通信アンテナが各々設けられているので、各外面エリアの近傍に位置する第１、第２雄通信アンテナのノイズ等が相互に干渉するのを抑制することができる。
【手続補正５】
【補正対象書類名】明細書
【補正対象項目名】００１５
【補正方法】変更
【補正の内容】
【００１５】
前記雄受電又は送電アンテナは複数とすることが可能である。前記雄受電又は送電アンテナは、第１、第２雄受電又は送電アンテナを含み、第１、第２雄受電又は送電アンテナが、前記外面エリアのうちの異なる外面エリアの近傍に位置する構成とすることが可能である。
【手続補正６】
【補正対象書類名】明細書
【補正対象項目名】００１６
【補正方法】変更
【補正の内容】
【００１６】
このような態様の雄コネクタによる場合、雄ボディの外面エリアの近傍に雄通信アンテナ及び第１、第２雄受電又は送電アンテナが各々設けられている。このため、雄通信アンテナのノイズ等が第１、第２雄受電又は送電アンテナに干渉したり、第１、第２雄受電又は送電アンテナのノイズ等が雄通信アンテナに干渉したり、第１、第２雄受電又は送電アンテナのノイズ等が相互に干渉したりするのを抑制することができる。
【手続補正７】
【補正対象書類名】明細書
【補正対象項目名】００１７
【補正方法】変更
【補正の内容】
【００１７】
本発明の別の態様の雄コネクタは、多面体である雄ボディであって、複数の外面を有し、前記外面が互いに重複しない外面エリアである雄ボディと、信号を無線通信可能な複数の雄通信アンテナとを備えている。前記雄通信アンテナは、第１、第２雄通信アンテナを含み、前記第１、第２雄通信アンテナは、前記雄ボディ内に設けられ且つ前記外面エリアのうちの異なる外面エリアの近傍に位置している。前記第１雄通信アンテナが近傍に位置する前記外面エリアと、当該第１雄通信アンテナとの間の距離が、当該第１雄通信アンテナ全体にわたって略同じ距離であり、前記第２雄通信アンテナが近傍に位置する前記外面エリアと、当該第２雄通信アンテナとの間の距離が、当該第２雄通信アンテナ全体にわたって略同じ距離である。
【手続補正８】
【補正対象書類名】明細書
【補正対象項目名】００１８
【補正方法】変更
【補正の内容】
【００１８】
上記何れかの態様の雄コネクタは、前記少なくとも一つの第１雄アンテナに電気的に接続された雄第１基板を更に備えた構成とすることが可能である。
【手続補正９】
【補正対象書類名】明細書
【補正対象項目名】００２０
【補正方法】変更
【補正の内容】
【００２０】
前記雄ボディは絶縁樹脂で構成とすることが可能である。前記雄通信アンテナ、及び前記雄受電又は送電アンテナがインサート成形によって前記雄ボディの内部に埋め込まれた構成とすることが可能である。
【手続補正１０】
【補正対象書類名】明細書
【補正対象項目名】００２５
【補正方法】変更
【補正の内容】
【００２５】
本発明の雌コネクタは、多面体状の接続孔及び前記接続孔の複数の内面を有し、前記内面が互いに重複しない内面エリアである雌ボディと、信号を無線通信可能な雌通信アンテナと、雌送電又は受電アンテナとを備えている。前記雌通信アンテナ及び雌送電又は受電アンテナは、前記雌ボディ内に設けられており、且つ前記内面エリアのうちの異なる内面エリアの近傍に位置している。
前記雌通信アンテナが近傍に位置する前記内面エリアと、当該雌通信アンテナとの間の距離が、当該雌通信アンテナ全体にわたって略同じ距離であり、前記雌送電又は受電アンテナが近傍に位置する前記内面エリアと、当該雌送電又は受電アンテナとの間の距離が、当該雌送電又は受電アンテナ全体にわたって略同じ距離である。
【手続補正１１】
【補正対象書類名】明細書
【補正対象項目名】００３１
【補正方法】変更
【補正の内容】
【００３１】
前記雌通信アンテナは複数とすることが可能である。前記雌通信アンテナは、第１、第２雌通信アンテナを含み、前記第１、第２雌通信アンテナは、前記内面エリアのうちの異なる内面エリアの近傍に位置する構成とすることが可能である。
【手続補正１２】
【補正対象書類名】明細書
【補正対象項目名】００３２
【補正方法】変更
【補正の内容】
【００３２】
このような態様の雌コネクタによる場合、雌ボディ内の内面エリアの近傍に第１、第２雌通信アンテナが各々設けられているので、各内面エリアの近傍に位置する第１、第２雌通信アンテナのノイズ等が相互に干渉するのを抑制することができる。
【手続補正１３】
【補正対象書類名】明細書
【補正対象項目名】００３３
【補正方法】変更
【補正の内容】
【００３３】
前記雌送電又は受電アンテナは複数とすることが可能である。前記雌送電又は受電アンテナは、第１、第２雌送電又は受電アンテナを含み、前記雌送電又は受電アンテナは、前記内面エリアのうちの異なる内面エリアの近傍に位置する構成とすることが可能である。
【手続補正１４】
【補正対象書類名】明細書
【補正対象項目名】００３４
【補正方法】変更
【補正の内容】
【００３４】
このような態様の雌コネクタによる場合、雌ボディ内の内面エリアの近傍に雌通信アンテナ及び第１、第２雌送電又は受電アンテナが各々設けられている。このため、雌通信アンテナのノイズ等が第１、第２雌送電又は受電アンテナに干渉したり、第１、第２雌送電又は受電アンテナのノイズ等が雌通信アンテナに干渉したり、第１、第２雌送電又は受電アンテナのノイズ等が相互に干渉したりするのを抑制することができる。
【手続補正１５】
【補正対象書類名】明細書
【補正対象項目名】００３５
【補正方法】変更
【補正の内容】
【００３５】
本発明の別の雌コネクタは、多面体状の接続孔及び前記接続孔の複数の内面を有し、前記内面が互いに重複しない内面エリアである雌ボディと、信号を無線通信可能な複数の雌通信アンテナとを備えている。前記雌通信アンテナは、第１、第２雌通信アンテナを含み、前記第１、第２雌通信アンテナは、前記雌ボディ内に設けられ且つ前記内面エリアのうちの異なる内面エリアの近傍に位置している。前記第１雌通信アンテナが近傍に位置する前記内面エリアと、当該第１雌通信アンテナとの間の距離が、当該第１雌通信アンテナ全体にわたって略同じ距離であり、前記第２雌通信アンテナが近傍に位置する前記内面エリアと、当該第２雌通信アンテナとの間の距離が、当該第２雌通信アンテナ全体にわたって略同じ距離である。
【手続補正１６】
【補正対象書類名】明細書
【補正対象項目名】００３６
【補正方法】変更
【補正の内容】
【００３６】
上記何れかの態様の雌コネクタは、前記少なくとも一つの第１雌アンテナに電気的に接続された雌第１基板を更に備えた構成とすることが可能である。
【手続補正１７】
【補正対象書類名】明細書
【補正対象項目名】００３８
【補正方法】変更
【補正の内容】
【００３８】
前記雌ボディは絶縁樹脂で構成することが可能である。前記雌通信アンテナ、及び前記雌送電又は受電アンテナがインサート成形によって前記雌ボディの内部に埋め込まれた構成とすることが可能である。
【手続補正１８】
【補正対象書類名】明細書
【補正対象項目名】００４３
【補正方法】変更
【補正の内容】
【００４３】
本発明の雄コネクタと雌コネクタとの接続構造は、雌コネクタと、雄コネクタとを備えている。
前記雌コネクタは、多面体状の接続孔及び前記接続孔の複数の内面を有し、前記内面が互いに重複しない内面エリアである雌ボディと、信号を無線通信可能な雌通信アンテナと、雌送電又は受電アンテナとを備えている。前記雌通信アンテナ及び雌送電又は受電アンテナは、前記雌ボディ内に設けられており、且つ内面エリアのうちの異なる内面エリアの近傍に位置している。
前記雌通信アンテナが近傍に位置する前記内面エリアと、当該雌通信アンテナとの間の距離が、当該雌通信アンテナ全体にわたって略同じ距離であり、前記雌送電又は受電アンテナが近傍に位置する前記内面エリアと、当該雌送電又は受電アンテナとの間の距離が、当該雌送電又は受電アンテナ全体にわたって略同じ距離である。
前記雄コネクタは、多面体である雄ボディであって、複数の外面を有し、前記外面が互いに重複しない外面エリアである雄ボディと、信号を無線通信可能な雄通信アンテナと、雄受電又は送電アンテナとを備えている。前記雄通信アンテナ及び前記雄受電又は送電アンテナは、前記雄ボディ内に設けられており、且つ前記外面エリアのうちの異なる外面エリアの近傍に位置している。
前記雄通信アンテナが近傍に位置する前記外面エリアと、当該雄通信アンテナとの間の距離が、当該雄通信アンテナ全体にわたって略同じ距離であり、前記雄受電又は送電アンテナが近傍に位置する前記外面エリアと、当該雄受電又は送電アンテナとの間の距離が、当該雄受電又は送電アンテナ全体にわたって略同じ距離である。
前記雄コネクタが前記雌コネクタの前記接続孔内に挿入され且つ位置固定された状態で、前記雄通信アンテナが近傍に位置する前記外面エリアと前記雌通信アンテナが近傍に位置する前記内面エリアとが互いに対向し、当該外面エリアの近傍に位置する前記雄通信アンテナと当該内面エリアの近傍に位置する前記雌通信アンテナとが信号を無線通信可能な範囲に配置され、且つ、前記雄受電又は送電アンテナが近傍に位置する前記外面エリアと前記雌送電又は受電アンテナが近傍に位置する前記内面エリアとが互いに対向し、前記雄受電又は送電アンテナと前記雌送電又は受電アンテナとが、無線電力伝送可能な範囲に配置される。
【手続補正１９】
【補正対象書類名】明細書
【補正対象項目名】００４５
【補正方法】変更
【補正の内容】
【００４５】
本発明の別の態様の雄コネクタと雌コネクタとの接続構造は、雌コネクタと、雄コネクタとを備えている。
前記雌コネクタは、多面体状の接続孔及び前記接続孔の複数の内面を有し、前記内面が互いに重複しない内面エリアである雌ボディと、信号を無線通信可能な複数の雌通信アンテナとを備えている。前記雌通信アンテナは、第１、第２雌通信アンテナを含み、前記第１、第２雌通信アンテナは、前記雌ボディ内に設けられ且つ前記内面エリアのうちの異なる内面エリアの近傍に位置している。前記第１雌通信アンテナが近傍に位置する前記内面エリアと、当該第１雌通信アンテナとの間の距離が、当該第１雌通信アンテナ全体にわたって略同じ距離であり、前記第２雌通信アンテナが近傍に位置する前記内面エリアと、当該第２雌通信アンテナとの間の距離が、当該第２雌通信アンテナ全体にわたって略同じ距離である。
前記雄コネクタは、多面体である雄ボディであって、複数の外面を有し、前記外面が互いに重複しない外面エリアである前記雄ボディと、信号を無線通信可能な複数の雄通信アンテナとを備えている。前記雄通信アンテナは、第１、第２雄通信アンテナを含み、前記第１、第２雄通信アンテナは、前記雄ボディ内に設けられ且つ前記外面エリアのうちの異なる外面エリアの近傍に位置している。前記第１雄通信アンテナが近傍に位置する前記外面エリアと、当該第１雄通信アンテナとの間の距離が、当該第１雄通信アンテナ全体にわたって略同じ距離であり、前記第２雄通信アンテナが近傍に位置する前記外面エリアと、当該第２雄通信アンテナとの間の距離が、当該第２雄通信アンテナ全体にわたって略同じ距離である。
前記雄コネクタが前記雌コネクタの前記接続孔内に挿入され且つ位置固定された状態で、前記第１雄通信アンテナが近傍に位置する前記外面エリアと前記第１雌通信アンテナが近傍に位置する前記内面エリアとが互いに対向し、当該外面エリアの近傍に位置する前記第１雄通信アンテナと当該内面エリアの近傍に位置する前記第１雌通信アンテナとが信号を無線通信可能な範囲に配置され、且つ、前記第２雄通信アンテナが近傍に位置する前記外面エリアと前記第２雌通信アンテナが近傍に位置する前記内面エリアとが互いに対向し、当該外面エリアの近傍に位置する前記第２雄通信アンテナと当該内面エリアの近傍に位置する前記第２雌通信アンテナとが信号を無線通信可能な範囲に配置される。